(57)【要約】【課題】本発明はデータ駆動集積回路及びその駆動方法とそれを利用した液晶表示装置を提供する。【解決手段】この液晶表示装置はデータラインなどに画素データを供給するデータ出力チャンネル群を含んでダミー・データ出力チャンネル群を有するデータ集積回路と、前記ダミー・データ出力チャンネル群の出力チャンネルを選択するためのチャンネル選択部とを具備して；前記チャンネル選択部によって選択される前記ダミー・データ出力チャンネルを通して前記画素データが前記データラインなどに供給する。【選択図】図４
2005173592.tif 000002
【特許請求の範囲】
【請求項１】
データ駆動集積回路を持つ表示装置において、前記データ駆動集積回路が、前記表示装置で要求される解像度に従ってデータラインの数に対応して画素データを供給するデータ出力チャンネルを含んで、少なくとも２個の領域を持つデータ出力チャンネルグループと、画素データが供給されない他の出力チャンネルを含む出力チャンネルと、前記データ出力チャンネルを選択する選択部とを具備することを特徴とする表示装置。
【請求項２】
前記データ出力チャンネルの数は前記データ駆動集積回路にプログラム化されたことを特徴とする請求項１記載の表示装置。
【請求項３】
前記データ出力チャンネルを選択するためのチャンネル選択信号を発生して供給する選択信号発生部と、前記データ駆動集積回路を制御して前記画素データを供給するタイミング制御部をさらに具備することを特徴とする請求項１記載の表示装置。
【請求項４】
前記選択信号発生部は第１及び第２電圧源のそれぞれと接続されて前記チャンネル選択信号を発生する第１及び第２選択端子を含むことを特徴とする請求項３記載の表示装置。
【請求項５】
前記データ駆動集積回路はサンプリング信号を順次的に供給するシフトレジスタ部と、前記シフトレジスタ部からのサンプリング信号に従って画素データをラッチするためのラッチと、前記ラッチからの前記画素データをアナログ画素データに変換するデジタル-アナログ変換部と、前記デジタル-アナログ変換部からの前記画素データをバッファリングして前記多数のデータラインに出力するためのバッファ部をもっと具備することを特徴とする請求項１記載の表示装置。
【請求項６】
前記第１及び第２選択端子は第１及び第２論理値を発生して、前記第１論理値であれば前記出力チャンネルの総数N(Nは定数)より小さな I個の出力チャンネルを、前記第２論理値であれば前記 I個より小さな J個の出力チャンネルを前記データ出力チャンネルで選択することを特徴とする請求項４記載の表示装置。
【請求項７】
前記第１及び第２選択端子は第１乃至第４論理値を発生して、前記第４論理値であれば前記出力チャンネルの総数 N(Nは定数)より小さな I個を、前記第３論理値であれば前記 I より小さな J個を、前記第２論理値であれば前記 J より小さな K個を、前記第１論理値であれば前記 K より小さな L個を前記データ出力チャンネルで選択することを特徴とする請求項４記載の表示装置。
【請求項８】
前記データ出力チャンネルグループは一番目の出力チャンネルから I、J、K、L番目の中からいずれか一つまでの出力チャンネルを含むことを特徴とする請求項７記載の表示装置。
【請求項９】
前記選択信号発生部は前記データラインの数、前記要求される解像度に対応するデータ集積回路の個数、前記データ集積回路が実装されたテープキャリアパッケージの幅、前記タイミング制御部と前記データ駆動集積回路の間のデータ送信ラインの数の中から少なくとも一つの条件に沿って前記チャンネル選択信号を発生することを特徴とする請求項３記載の表示装置。
【請求項１０】
前記選択信号発生部は前記チャンネル選択信号を発生するスイッチング素子を具備することを特徴とする請求項３記載の表示装置。
【請求項１１】
前記選択信号発生部は前記チャンネル選択信号を発生するディープスイッチを具備することを特徴とする請求項３記載の表示装置。
【請求項１２】
前記他の出力チャンネルはダミーチャンネルであることを特徴とする請求項１記載の表示装置。
【請求項１３】
前記ダミーチャンネルはフローティングされることを特徴とする請求項１２記載の表示装置。
【請求項１４】
前記ダミーチャンネルは一定常数の電圧に設定されたことを特徴とする請求項１２記載の表示装置。
【請求項１５】
前記他の出力チャンネルは前記データ出力チャンネルグループの少なくとも２個領域の間に位することを特徴とする請求項１記載の表示装置。
【請求項１６】
前記データ出力チャンネルグループの少なくとも２個領域は同一な数のデータ出力チャンネルを持つことを特徴とする請求項１記載の表示装置。
【請求項１７】
表示装置の多数のデータラインと接続されたデータ駆動集積回路において、前記表示装置で要求される解像度に沿ってデータラインの数に対応して画素データを供給する M(Mは N以下の定数)個のデータ出力チャンネルを含んで、少なくとも２個の領域を持つデータ出力チャンネルグループと、画素データが供給されない (N-M)個の出力チャンネルを含む N個の出力チャンネルを具備することを特徴とするデータ駆動集積回路。
【請求項１８】
前記 M個のデータ出力チャンネルを選択するためのチャンネル選択信号を発生する選択信号発生部をさらに具備することを特徴とする請求項 １７記載のデータ駆動集積回路。
【請求項１９】
前記チャンネル選択部は前記チャンネル選択信号に沿って前記データ出力チャンネルグループに含まれるデータ出力チャンネルの数を可変させることを特徴とする請求項１８記載のデータ駆動集積回路。
【請求項２０】
前記選択信号発生部は前記データラインの数、前記データ集積回路の個数、前記データ集積回路が実裝されるテープキャリアパッケージの幅、前記画素データの入力ライン数の中から少なくとも一つの条件に沿って前記チャンネル選択信号を発生することを特徴とする請求項１８記載のデータ駆動集積回路。
【請求項２１】
前記チャンネル選択部は第１及び第２論理値を発生して、前記第１論理値であれば前記 N より小さな I個の出力チャンネルを、前記第２論理値であれば前記 I個より小さな J個の出力チャンネルを前記データ出力チャンネルで選択することを特徴とする請求項１８記載のデータ駆動集積回路。
【請求項２２】
前記チャンネル選択部は第１乃至第４論理値を発生して、前記第４論理値であれば前記 N より小さな I個を、前記第３論理値であれば前記 I より小さな J個を、前記第２論理値であれば前記 J より小さな K個を、前記第１論理値であれば前記 K より小さな L個を前記データ出力チャンネルで選択することを特徴とする請求項１８記載のデータ駆動集積回路。
【請求項２３】
前記データ出力チャンネルグループは一番目のデータ出力チャンネルから I、J、K、L番目の中からいずれか一つまでのデータ出力チャンネルを含むことを特徴とする請求項２２記載のデータ駆動集積回路。
【請求項２４】
前記(N-M)個の出力チャンネルは前記データ出力チャンネルグループの少なくとも２個の領域の間に位することを特徴とする請求項１７記載のデータ駆動集積回路。
【請求項２５】
前記データ出力チャンネルグループの少なくとも２個領域は同一な数のデータ出力チャンネルを持つことを請求項１７記載のデータ駆動集積回路。
【請求項２６】
前記(N-M)個の出力チャンネルはフローティングされることを特徴とする請求項１７記載のデータ駆動集積回路。
【請求項２７】
前記(N-M)個の出力チャンネルは一定常数の電圧に設定されたことを特徴とする請求項１７記載のデータ駆動集積回路。
【請求項２８】
前記選択信号発生部は第１及び第２電圧源のそれぞれと接続されて前記チャンネル選択信号を発生する第１及び第２選択端子を含むことを特徴とする請求項１８記載のデータ駆動集積回路。
【請求項２９】
前記選択信号発生部は前記チャンネル選択信号を発生するスイッチを具備することを特徴とする請求項１８記載のデータ駆動集積回路。
【請求項３０】
前記選択信号発生部は前記チャンネル選択信号を発生するディープスイッチを具備することを特徴とする請求項１８記載のデータ駆動集積回路。
【請求項３１】
サンプリング信号を順次的に供給するシフトレジスタ部と、前記シフトレジスタ部からのサンプリング信号に従って画素データをラッチするためのラッチと、前記ラッチからの前記画素データをアナログ画素データに変換するデジタル-アナログ変換部と、前記デジタル-アナログ変換部からの前記画素データをバッファリングして前記多数のデータラインに出力するためのバッファ部をもっと具備することを特徴とする請求項１７記載のデータ駆動集積回路。
【請求項３２】
第１乃至第３出力チャンネルグループを含むN(Nは定数)個の出力チャンネルと、表示装置で要求される解像度に従って画素データが供給される多数のデータラインに対応する第１及び第３出力チャンネルグループと、ダミー出力チャンネルにデ−セイブルされる第２出力チャンネルグループを選択するチャンネル選択部を具備して、前記第２出力チャンネルグループは前記第１及び第３出力チャンネルグループの間に位することを特徴とするデータ駆動集積回路。
【請求項３３】
前記第２出力チャンネルグループは前記 N個の出力チャンネルの中からいずれか一つの出力チャンネルを含むことを特徴とする請求項３２記載のデータ駆動集積回路。
【請求項３４】
前記第２出力チャンネルグループは前記 N個の出力チャンネル中 (N/２)個の出力チャンネルを含むことを特徴とする請求項３２記載のデータ駆動集積回路。
【請求項３５】
前記第２出力チャンネルグループは前記 N個の出力チャンネルの中で N番目の出力チャンネルを含むことを特徴とする請求項３２記載のデータ駆動集積回路。
【請求項３６】
前記出力チャンネル選択のためのチャンネル選択信号を発生する選択信号発生部をさらに具備することを特徴とする請求項３２記載のデータ駆動集積回路。
【請求項３７】
サンプリング信号を順次的に供給するシフトレジスタ部と、前記シフトレジスタ部からのサンプリング信号に従って画素データをラッチするためのラッチと、前記ラッチからの前記画素データをアナログ画素データに変換するデジタル-アナログ変換部と、前記デジタル-アナログ変換部からの前記画素データをバッファリングして前記多数のデータラインに出力するためのバッファ部とをもっと具備することを特徴とする請求項３２記載のデータ駆動集積回路。
【請求項３８】
前記選択信号発生部は前記データラインの数、前記データ集積回路の個数、前記データ集積回路が実裝されるテープキャリアパッケージの幅、前記画素データの入力ライン数の中から少なくとも一つの条件に沿って前記チャンネル選択信号を発生することを特徴とする請求項３６記載のデータ駆動集積回路。
【請求項３９】
前記選択信号発生部は第１及び第２電圧源のそれぞれと接続されて前記チャンネル選択信号を発生する第１及び第２選択端子を含むことを特徴とする請求項３６記載のデータ駆動集積回路。
【請求項４０】
前記第１及び第２出力チャンネルグループは同一な数の出力パネルを持つことを特徴とする請求項３２記載のデータ駆動集積回路。
【請求項４１】
前記第１出力チャンネルグループは一番目から I１番目、I２番目、I３番目(ただ、１<I１<I２<I３<N)中からいずれかまでの出力チャンネルを含むことを特徴とする請求項３２記載のデータ駆動集積回路。
【請求項４２】
前記第３出力チャンネルグループは N番目から J１番目、J２番目、J３番目(ただ、I３<J１<J２<J３<N)中からいずれかまでの出力チャンネルを含むことを特徴とする請求項４１記載のデータ駆動集積回路。
【請求項４３】
前記出力チャンネルの中で I１+１番目から J３-１番目まで、I２+１番目から J２-１番目まで、I３+１番目から J１-１番目の中である一グループは前記ダミー出力チャンネルであることを特徴とする請求項４２記載のデータ駆動集積回路。
【請求項４４】
前記ダミー出力チャンネルはフローティングされることを特徴とする請求項４３記載のデータ駆動集積回路。
【請求項４５】
前記ダミー出力チャンネルは一定常数の電圧に設定されたことを特徴とする請求項４３記載のデータ駆動集積回路。
【請求項４６】
前記選択信号発生部は前記選択制御信号を発生するスイッチを具備することを特徴とする請求項３６記載のデータ駆動集積回路。
【請求項４７】
前記選択信号発生部は前記選択制御信号を発生するディープスイッチを具備することを特徴とする請求項３６記載のデータ駆動集積回路。
【請求項４８】
前記出力チャンネルの数はプログラム化されたことを特徴とする請求項３２記載のデータ駆動集積回路。
【請求項４９】
スタートパルスをシフトさせてサンプリング信号を発生するためのN(ただ、Nは陽の定数)個のシフトレジスタから構成されたシフトレジスタ部を含むデータ駆動集積回路において、第１及び第２出力チャンネル群から構成された出力チャンネル部と、前記シフトレジスタ部で前記第１出力チャンネル群と対応される第１群のシフトレジスタからの出力信号を選択して前記第１出力チャンネル群の中、一部のデータラインと接続されられる第１データ出力チャンネル群を選択する第１選択部と、前記第１選択部からの出力信号を前記第２出力チャンネル群と対応される第２群のシフトレジスタに供給して前記第２出力チャンネル群の中、他のデータラインと接続される第２データ出力チャンネル群を選択する第２選択部とを具備することを特徴とするデータ駆動集積回路。
【請求項５０】
前記第１及び第２データ出力チャンネル群の選択のためのチャンネル選択信号を発生する選択信号発生部をさらに具備することを特徴とする請求項４９記載のデータ駆動集積回路。
【請求項５１】
前記選択信号発生部は前記データラインの数、前記データ集積回路の個数、前記データ集積回路が実裝されるテープキャリアパッケージの幅、前記データ集積回路のデータ入力欄である数の中から少なくとも一つの条件に沿って前記チャンネル選択信号を発生することを特徴とする請求項５０記載のデータ駆動集積回路。
【請求項５２】
前記選択信号発生部は電圧源及び基底電圧源に接続されて前記チャンネル選択信号を発生する選択端子を具備することを特徴とする請求項５０記載のデータ駆動集積回路。
【請求項５３】
前記選択信号発生部は前記チャンネル選択信号を発生するスイッチを具備することを特徴とする請求項５０記載のデータ駆動集積回路。
【請求項５４】
前記選択信号発生部は前記チャンネル選択信号を発生するディープスイッチを具備することを特徴とする請求項５０記載のデータ駆動集積回路。
【請求項５５】
前記第１及び第２データ出力チャンネルは同一な出力チャンネルを持つことを特徴とする請求項４９記載のデータ駆動集積回路。
【請求項５６】
前記第１選択部は前記チャンネル選択信号に沿って前記 N個のシフトレジスタの第I１(ただ、I１は１より大きい陽の定数)番目、I２(ただ、I２は I１より大きい陽の定数)番目及び I３(ただ、I３は I２より大きくて Nより小さな陽の定数)番目シフトレジスタの出力信号の中からいずれかを選択する第１マルチフレクサーを具備することを特徴とする請求項４９記載のデータ駆動集積回路。
【請求項５７】
前記第２選択部は、前記チャンネル選択信号に沿って第１マルチフレクサーからの出力信号を出力するデマルチプレクサーと、前記チャンネル選択信号に沿って前記デマルチプレクサーからの出力信号と前記 N個のシフトレジスタの第J１-１(ただ、J１は I３より大きい陽の定数)番目シフトレジスタの出力信号の中からいずれかを選択して第J１番目シフトレジスタに供給する第２マルチフレクサーと、前記チャンネル選択信号に沿って前記デマルチプレクサーからの出力信号と前記 N個のシフトレジスタの第J２-１(ただ、J２は J１より大きい陽の定数)番目シフトレジスタの出力信号の中からいずれかを選択して第J２番目シフトレジスタに供給する第３マルチフレクサーと、前記チャンネル選択信号に沿って前記デマルチプレクサーからの出力信号と前記 N個のシフトレジスタの第J３-１(ただ、J３は J２より大きくてNより小さな陽の定数)番目シフトレジスタの出力信号の中からいずれかを選択して第J３番目シフトレジスタに供給する第４マルチフレクサーとを具備することを特徴とする請求項５６記載のデータ駆動集積回路。
【請求項５８】
前記チャンネル選択部は前記チャンネル選択信号に応答して前記第１出力チャンネル群の中、一番目から I１番目、I２番目、I３番目(ただ、１<I１<I２<I３<N)出力チャンネルの中からいずれか一つまでを第１データ出力チャンネル群で選択することを特徴とする請求項５７記載のデータ駆動集積回路。
【請求項５９】
前記チャンネル選択部は前記チャンネル選択信号に応答して前記第２出力チャンネル群の中、N番目から J１番目、J２番目、J３番目(ただ、 I３<J１<J２<J３<N)中からいずれか一つまでを第２データ出力チャンネル群で選択することを特徴とする請求項５８記載のデータ駆動集積回路。
【請求項６０】
前記出力チャンネルの中で I１+１番目から J３-１番目まで、I２+１番目から J２-１番目まで、I３+、１番目から J１-１番目の中である一グループは前記ダミー出力チャンネルであることを請求項５９記載のデータ駆動集積回路。
【請求項６１】
前記ダミー出力チャンネルはフローティングされたことを特徴とする請求項６０記載のデータ駆動集積回路。
【請求項６２】
前記ダミー出力チャンネルは一定常数の電圧に設定されたことを特徴とする請求項６０記載のデータ駆動集積回路。
【請求項６３】
表示装置で要求される解像度を決める段階と、多数の出力チャンネルの中で前記要求される解像度に対応して画素データが供給されられるデータ出力チャンネルを含んで、少なくとも２個の領域を持つデータ出力チャンネルグループを選択する段階と、前記選択されたデータ出力チャンネルグループを通じてデータラインで画素データを供給して、非選択された出力チャンネルでは画素データを供給しない段階とを含むことを特徴とする表示装置に含まれたデータ駆動集積回路の駆動方法。
【発明の詳細な説明】
【技術分野】
【０００１】
本発明はデータ駆動集積回路を利用する表示装置に関することで、特に作業性の向上及び製造費用を節減することができるようにしたデータ駆動集積回路及びその駆動方法とそれを利用した表示装置に関するものである。
【背景技術】
【０００２】
通常の液晶表示装置は電界を利用して液晶の光透過率を調節することで画像を表示する。
これのために、液晶表示装置は図１に示したように液晶セルなどがマトリックス形態で配列された液晶パネル（２）と、液晶パネル（２）のゲートラインなど（ＧＬ１乃至ＧＬｎ）を駆動するためのゲート・ドライバ（６）と、液晶パネル（２）のデータラインなど（ＤＬ１乃至ＤＬｍ）を駆動するためのデータ・ドライバ（４）と、ゲート・ドライバ（６）とデータ・ドライバ（４）を制御するためのタイミング制御部（８）とを具備する。
【０００３】
液晶パネル（２）はゲートラインなど（ＧＬ１乃至ＧＬｎ）とデータラインなど（ＤＬ１乃至ＤＬｍ）の交差部毎に形成された薄膜トランジスタ（ＴＦＴ）と、薄膜トランジスタ（ＴＦＴ）と接続された液晶セル（７）とを具備する。薄膜トランジスタ（ＴＦＴ）はゲートライン（ＧＬ）からのスキャン信号、即ちゲート・ハイ電圧（ＶＧＨ）が供給される場合、ターン・オンされてデータライン（ＤＬ）からの画素信号を液晶セル（７）に供給する。そして、薄膜トランジスタ（ＴＦＴ）はゲートライン（ＧＬ）からゲート・ロー電圧（ＶＧＬ）が供給される場合、ターン・オフされて液晶セル（７）に充電された画素信号が維持されるようにする。
【０００４】
液晶セル（７）は等価的に液晶容量のキャパシティで表現されて、液晶を間に置いて対面する共通電極と 薄膜トランジスタ（ＴＦＴ）に接続された画素電極を含む。そして、液晶セル（７）は充電された画素信号が次の画素信号が充電される際まで安定的に維持されるようにするためにストリッジ・キャパシティとを更に具備する。このストリッジ・キャパシティは画素電極と以前段のゲートラインの間に形成される。このような液晶セル（７）は薄膜トランジスタ（ＴＦＴ）を通して充電される画素信号につれて誘電異方性を有する液晶の配列状態が可変して光透過率を調節することでグラデーションを具現するようになる。
【０００５】
タイミング制御部（８）は図示されないビデオ・カードから供給される同期信号（Ｖ，Ｈ）を利用してゲート制御信号など（ＧＳＰ，ＧＳＣ，ＧＯＥ）及びデータ制御信号など（ＳＳＰ，ＳＳＣ，ＳＯＥ，ＰＯＬ）を発生する。ゲート制御信号など（ＧＳＰ，ＧＳＣ，ＧＯＥ）はゲート・ドライバ（６）に供給されてゲート・ドライバを制御するようになり、データ制御信号など（ＳＳＰ，ＳＳＣ，ＳＯＥ，ＰＯＬ）はデータ・ドライバ（４）に供給されてデータ・ドライバを除去するようになる。共に、タイミング制御部（８）は赤色（Ｒ）、緑色（Ｇ）及び青色（Ｂ）の画素データ（ＶＤ）を整列してデータ・ドライバ（４）に供給する。
【０００６】
ゲート・ドライバ（６）はゲートラインなど（ＧＬ１乃至ＧＬｎ）を順次に駆動させる。このために、ゲート・ドライバ（６）は図２ａのように多数のゲート集積回路（以下、”ＩＣ”という）（１０）とを具備する。ゲートＩＣ（１０）などは自分に接続されたゲートラインなど（ＧＬ１乃至ＧＬｎ）をタイミング制御部（８）からの制御によって順次に駆動させる。もう一度言って、ゲートＩＣ（１０）などはタイミング制御部（８）から供給されるゲート制御信号など（ＧＳＰ，ＧＳＣ，ＧＯＥ）に応答してゲートラインなど（ＧＬ１乃至ＧＬｎ）に順次にゲート・ハイ電圧（ＶＧＨ）を順次に供給する。
【０００７】
具体的に、ゲート・ドライバ（６）はゲート・スタート・パルス（ＧＳＰ）をゲート・シフト・クラック（ＧＳＣ）につれてシフトさせてシフトパルスを発生する。そして、ゲート・ドライバ（６）はシフト・パルスに応答して水平期間毎に当たるゲートライン（ＧＬ）にゲート・ハイ電圧（ＶＧＨ）を供給するようになる。もう一度言って、シフトパルスは水平期間毎に一ラインずつシフトされて、ゲートＩＣ（１０）などの中のいずれか一つはシフトパルスに対応されて当たるゲートライン（ＧＬ）にゲート・ハイ電圧（ＶＧＨ）を供給する。この場合、ゲートＩＣ（１０）などはゲートラインなど（ＧＬ１乃至ＧＬｎ）にゲート・ハイ電圧（ＶＧＨ）が供給されない残りの期間ではゲート・ロー電圧（ＶＧＬ）を供給する。
【０００８】
データ・ドライバ（４）は水平期間毎に１ライン分ずつの画素信号をデータラインなど（ＤＬ１乃至ＤＬｍ）に供給する。このために、データ・ドライバ（４）は図２ｂのように多数のデータＩＣ（１６）などを具備する。データＩＣ（１６）などはタイミング制御部（８）から供給されるデータ制御信号など（ＳＳＰ，ＳＳＣ，ＳＯＥ，ＰＯＬ）に応答してデータラインなど（ＤＬ１乃至ＤＬｍ）に画素信号を供給する。この際、データＩＣ（１６）などはタイミング制御部（８）からの画素データ（ＶＤ）をガンマ電圧発生部（図示しない）からのガンマ電圧を利用してアナログ画素信号に変換して出力する。
【０００９】
具体的に、データＩＣ（１６）などはソース・スタート・パルス（ＳＳＰ）をソース・シフト・クラック（ＳＳＣ）につれてシフトさせてサンプリング信号を発生する。続いて、データＩＣ（１６）などはサンプリング信号に応答して画素データ（ＶＤ）を一定の単位ずつ順次にラッチする。以後、ラッチされた１ライン分の画素データ（ＶＤ）をアナログ画素信号に変換してソース出力エナーブル信号（ＳＯＥ）のエナーブル期間にデータラインなど（ＤＬ１乃至ＤＬｍ）に供給するようになる。この場合、データＩＣ（１６）などは画素データ（ＶＤ）を極性制御信号（ＰＯＬ）に応答して正極性または負極性の画素信号に変換するようになる。
【００１０】
このために、データＩＣ（１６）などのそれぞれは図３に示したように順次のサンプリング信号を供給するシフト・レジスタ部（３４）と、サンプリング信号に応答して画素データ（ＶＤ）を順次にラッチして同時に出力するラッチ部（３６）と、ラッチ部（３６）からの画素データ（ＶＤ）を画素電圧信号に変換するデジタル・アナログ変換部（以下、”ＤＡＣ部”という）（３８）と、ＤＡＣ（３８）からの画素電圧信号を緩衝して出力する出力バッパ部（４６）とを具備する。また、データＩＣ（１６）などはタイミング制御部（８）から供給される各種の制御信号など（ＳＳＰ，ＳＳＣ，ＳＯＥ，ＲＥＶ，ＰＯＬなど）と画素データ（ＶＤ）を中継する信号制御部（２０）と、ＤＡＣ部（３８）で必要とする正極性及び負極性のガンマ電圧などを供給するガンマ電圧部（３２）とを更に具備する。
【００１１】
信号制御部（２０）はタイミング制御部（図示しない）からの各種の制御信号など（ＳＳＰ，ＳＳＣ，ＳＯＥ，ＲＥＶ，ＰＯＬなど）と画素データ（ＶＤ）が当たる構成要素などで出力されるように制御する。
【００１２】
ガンマ電圧部（３２）はガンマ基準電圧の発生部（図示しない）から入力される多数このガンマ基準電圧をグレイ別に細分化して出力する。
【００１３】
シフト・レジスタ部（３４）に含まれたシフト・レジスタなどは信号制御部（２０）からのソース・スタート・パルス（ＳＳＰ）をソース・シフト・クラック（ＳＳＣ）につれてシフトさせてサンプリング信号に出力する。
【００１４】
ラッチ部（３６）はシフト・レジスタ部（３４）からのサンプリング信号に応答して信号制御部（２０）からの画素データ（ＶＤ）を一定単位ずつ順次にサンプリングしてラッチするようになる。このために、ラッチ部（３６）はｉ（ｉは自然数）個の画素データ（ＶＤ）をラッチするためにｉ個のラッチなどで構成されて、ラッチなどのそれぞれは画素データ（ＶＤ）のビット数に対応する大きさを有する。特に、タイミング制御部（８）は伝送周波数を減らすために画素データ（ＶＤ）をイーブン画素データとオード画素データに分けてそれぞれの伝送ラインを通して同時に出力するようになる。ここで、イーブン画素データとオード画素データのそれぞれは赤（Ｒ），緑（Ｇ），青（Ｂ）画素データを含む。これにつれてラッチ部（３６）はサンプリング信号毎に信号制御部（２０）を経由して供給されるイーブン画素データとオード画素データを同時にラッチするようになる。続いて、ラッチ部（３６）は信号制御部（２０）からのソース出力エナーブル信号（ＳＯＥ）に応答してラッチされたｉ個の画素データ（ＶＤ）を同時に出力する。この場合、ラッチ部（３６）はデータ反転選択信号（ＲＥＶ）に応答してトランジーション・ビット数が減らすように変造された画素データ（ＶＤ）などを復元させて出力するようになる。これはタイミング制御部（８）でデータ伝送の際に電磁気的な干渉（ＥＭＩ）を最小化するためにトランジーションされるビット数が基準値を越す画素データ（ＶＤ）などはトランジーション・ビット数が減るように変造して供給するためである。
【００１５】
ＤＡＣ部（３８）はラッチ部（３６）からの画素データ（ＶＤ）を同時に正極性及び負極性の画素電圧信号に変換して出力するようになる。このために、ＤＡＣ部（３８）はラッチ部（３６）に共通接続されたＰ（Ｐｏｓｉｔｉｖｅ）デコーディング部（４０）及びＮ（Ｎｅｇａｔｉｖｅ）デコーディング部（４２）ト、Ｐデコーディング部（４０）オヨビＮデコーディング部（４２）の出力信号を選択するためのマルチプレクサ（ＭＵＸ；４４）とを具備する。
【００１６】
Ｐデコーディング部（４０）に含まれるｎ個のＰデコーダーなどはラッチ部（３６）から同時に入力されるｎ個の画素データなどをガンマ電圧部（３２）からの正極性のガンマ電圧などを利用して正極性画素電圧信号に変換するようになる。Ｎデコーディング部（４２）に含まれるｉ個のＮデコーダーなどはラッチ部（３６）から同時に入力されるｉ個の画素データなどをガンマ電圧部（３２）からの負極性ガンマ電圧などを利用して負極性の画素電圧信号に変換するようになる。マルチプレクサ部（４４）に含まれるｉ個のマルチプレクサなどは信号制御部（２０）からの極性制御信号（ＰＯＬ）に応答してＰデコーダー（４０）からの正極性の画素電圧信号またはＮデコーダー（４２）からの負極性の画素電圧信号を選択して出力するようになる。
【００１７】
出力バッパ部（４６）に含まれるｉ個の出力バッパなどはｉ個のデータラインなど（ＤＬ１乃至ＤＬｉ）などに直列にそれぞれ接続された電圧ホロワーなどで構成される。このような出力バッパなどはＤＡＣ部（１３８）の画素電圧信号などを信号緩衝してデータラインなど（ＤＬ１乃至ＤＬｉ）に供給するようになる。
【００１８】
このような従来の液晶表示装置は液晶パネル（２）の解像図につれてデータ・ドライバ（４）が具備するデータＩＣ（１６）の出力チャンネルが違ってくる。これは、液晶パネル（２）の解像図別にデータライン（ＤＬ）に接続されることができる一定のチャンネルを有するデータＩＣ（１６）などが違ってくるためである。これにつれて、液晶パネル（２）の解像図別に相互異なる出力チャンネルを有する相互異なる数のデータＩＣ（１６）などを使用することで作業性の低下及び製造費用が浪費される短所がある。
【００１９】
これを詳細に説明すると、液晶パネル（２）の解像図がＸＧＡ級（１０２４×３）である液晶表示装置は３０７２個のデータライン（ＤＬ）数を有することで７６８個のデータ出力チャンネルを有する四つのデータＩＣ（１６）が必要になる。また、液晶パネル（２）の解像図がＳＸＧＡ＋級（１４００×３）である液晶表示装置は４２００個のデータライン（ＤＬ）数を有するので７０２個のデータ出力チャンネルを有する六つのデータＩＣ（１６）が必要にするようになる。この際、残りの１２個のデータ出力チャンネルはダミーラインに処理される。また、液晶パネル（２）の解像図がＷＸＧＡ級（１２９０×３）である液晶表示装置は３８４０個のデータライン（ＤＬ）の数を有するので６４２個の出力チャンネルを有する六つのデータＩＣ（１６）が必要になる。この際、残る12個の出力チャンネルはダミーラインに処理される。このように、液晶パネル（２）の解像図別に相互異なる出力チャンネルを有する異なるデータＩＣ（１６）などを使用すべきである。これにつれて、従来の液晶表示装置では作業性の低下及び低下及び製造比率の浪費される短所がある。
【発明の開示】
【発明が解決しようとする課題】
【００２０】
従って、本発明の目的は作業性の向上及び製造費用を節減することができるようにしたデータ駆動集積回路及びその駆動方法とそれを利用した表示装置に関するものである。 
【００２１】
本発明の異なる目的は液晶パネルの解像図につれてデータ集積回路の出力チャンネルを制御することができるようにしたデータ駆動集積回路及びその駆動方法とそれを利用した表示装置に関するものである。 
【課題を解決するための手段】
【００２２】
前記目的を達成するために、本発明の実施例によるデータ駆動集積回路を持つ表示装置は前記データ駆動集積回路が、前記表示装置で要求される解像度に沿ってデータラインの数に対応して画素データを供給するデータ出力チャンネルを含んで、少なくとも２個の領域を持つデータ出力チャンネルグループと、画素データが供給されない他の出力チャンネルを含む出力チャンネルと、前記データ出力チャンネルを選択する選択部とを具備する。
前記データ出力チャンネルの数は前記データ駆動集積回路にプログラム化される。 
【００２３】
及び、本発明の表示装置は前記データ出力チャンネルを選択するためのチャンネル選択信号を発生して供給する選択信号発生部と、前記データ駆動集積回路を制御して前記画素データを供給するタイミング制御部をさらに具備する。 
前記選択信号発生部は第１及び第２電圧源のそれぞれと接続されて前記チャンネル選択信号を発生する第１及び第２選択端子を含む。 
【００２４】
前記データ駆動集積回路はサンプリング信号を順次的に供給するシフトレジスタ部と、前記シフトレジスタ部からのサンプリング信号に沿って画素データをラッチするためのラッチと、前記ラッチからの前記画素データをアナログ画素データに変換するデジタル-アナログ変換部と、前記デジタル-アナログ変換部からの前記画素データをバッファリングして前記多数のデータラインに出力するためのバッファ部をもっと具備する。 
【００２５】
前記第１及び第２選択端子は第１及び第２論理値を発生して、前記第１論理値であれば前記出力チャンネルの総数N(Nは定数)より小さな I個の出力チャンネルを、前記第２論理値であれば前記 I個より小さな J個の出力チャンネルを前記データ出力チャンネルで選択する。 
【００２６】
前記第１及び第２選択端子は第１乃至第４論理値を発生して、前記第４論理値であれば前記出力チャンネルの総数 N(Nは定数)より小さな I個を、前記第３論理値であれば前記 I より小さな J個を、前記第２論理値であれば前記 J より小さな K個を、前記第１論理値であれば前記 K より小さな L個を前記データ出力チャンネルで選択する。 
前記データ出力チャンネルグループは一番目の出力チャンネルから I、J、K、L番目の中からいずれか一つまでの出力チャンネルを含む。 
【００２７】
前記選択信号発生部は前記データラインの数、前記要求される解像度に対応するデータ集積回路の個数、前記データ集積回路が実裝されたテープキャリアパッケージの幅、前記タイミング制御部と前記データ駆動集積回路の間のデータ送信ラインの数の中から少なくとも一つの条件に沿って前記チャンネル選択信号を発生する。 
【００２８】
前記選択信号発生部は前記チャンネル選択信号を発生するスイッチング素子を具備する。 
前記選択信号発生部は前記チャンネル選択信号を発生するディープスイッチを具備する。 
前記他の出力チャンネルはダミーチャンネルである。 
前記ダミーチャンネルはフローティングされる。 
前記ダミーチャンネルは一定常数の電圧に設定される。
前記他の出力チャンネルは前記データ出力チャンネルグループの少なくとも２個領域の間に位する。 
前記データ出力チャンネルグループの少なくとも２個領域は同一な数のデータ出力チャンネルを持つ。 
【００２９】
本発明の実施例によるデータ駆動集積回路は表示装置の多数のデータラインと接続されたデータ駆動集積回路において、前記表示装置で要求される解像度に沿ってデータラインの数に対応して画素データを供給する M(Mは N以下の定数)個のデータ出力チャンネルを含んで、少なくとも２個の領域を持つデータ出力チャンネルグループと、画素データが供給されない (N-M)個の出力チャンネルを含む N個の出力チャンネルを具備する。 
【００３０】
及び、本発明のデータ駆動集積回路は前記 M個のデータ出力チャンネルを選択するためのチャンネル選択信号を発生する選択信号発生部をさらに具備する。 
前記チャンネル選択部は前記チャンネル選択信号に沿って前記データ出力チャンネルグループに含まれるデータ出力チャンネルの数を可変させる。 
前記選択信号発生部は前記データラインの数、前記データ集積回路の個数、前記データ集積回路が実裝されるテープキャリアパッケージの幅、前記画素データの入力ライン数の中から少なくとも一つの条件に沿って前記チャンネル選択信号を発生する。 
【００３１】
前記チャンネル選択部は第１及び第２論理値を発生して、前記第１論理値であれば前記 N より小さな I個の出力チャンネルを、前記第２論理値であれば前記 I個より小さな J個の出力チャンネルを前記データ出力チャンネルで選択する。
【００３２】
前記チャンネル選択部は第１乃至第４論理値を発生して、前記第４論理値であれば前記 N より小さな I個を、前記第３論理値であれば前記 I より小さな J個を、前記第２論理値であれば前記 J より小さな K個を、前記第１論理値であれば前記 K より小さな L個を前記データ出力チャンネルで選択する。 
【００３３】
前記データ出力チャンネルグループは一番目のデータ出力チャンネルから I、J、K、L番目の中からいずれか一つまでのデータ出力チャンネルを含む。 
前記(N-M)個の出力チャンネルは前記データ出力チャンネルグループの少なくとも２個の領域の間に位する。 
【００３４】
前記データ出力チャンネルグループの少なくとも２個領域は同一な数のデータ出力チャンネルを持つ。 
前記(N-M)個の出力チャンネルはフローティングされる。   前記(N-M)個の出力チャンネルは一定常数の電圧に設定される。
【００３５】
前記選択信号発生部は第１及び第２電圧源のそれぞれと接続されて前記チャンネル選択信号を発生する第１及び第２選択端子を含む。 
前記選択信号発生部は前記チャンネル選択信号を発生するスイッチを具備する。 
前記選択信号発生部は前記チャンネル選択信号を発生するディープスイッチを具備する。 
【００３６】
及び、本発明のデータ駆動集積回路はサンプリング信号を順次的に供給するシフトレジスタ部と、前記シフトレジスタ部からのサンプリング信号に沿って画素データをラッチするためのラッチと、前記ラッチからの前記画素データをアナログ画素データに変換するデジタル-アナログ変換部と、前記デジタル-アナログ変換部からの前記画素データをバッファリングして前記多数のデータラインに出力するためのバッファ部をもっと具備する。 
【００３７】
本発明の実施例によるデータ駆動集積回路は第１乃至第３出力チャンネルグループを含むN(Nは定数)個の出力チャンネルと、表示装置で要求される解像度に沿って画素データが供給される多数のデータラインに対応する第１及び第３出力チャンネルグループと、ダミー出力チャンネルにデ−セイブルされる第２出力チャンネルグループを選択するチャンネル選択部を具備して、前記第２出力チャンネルグループは前記第１及び第３出力チャンネルグループの間に位する。 
【００３８】
前記第２出力チャンネルグループは前記 N個の出力チャンネルの中からいずれか一つの出力チャンネルを含む。 
前記第２出力チャンネルグループは前記 N個の出力チャンネル中 (N/２)個の出力チャンネルを含む。 
前記第２出力チャンネルグループは前記 N個の出力チャンネルの中で N番目の出力チャンネルを含む。 
【００３９】
前記出力チャンネル選択のためのチャンネル選択信号を発生する選択信号発生部をさらに具備する。 
前記選択信号発生部は前記データラインの数、前記データ集積回路の個数、前記データ集積回路が実裝されるテープキャリアパッケージの幅、前記画素データの入力ライン数の中から少なくとも一つの条件に沿って前記チャンネル選択信号を発生する。   前記選択信号発生部は第１及び第２電圧源のそれぞれと接続されて前記チャンネル選択信号を発生する第１及び第２選択端子を含む。 
【００４０】
前記第１及び第２出力チャンネルグループは同一な数の出力パネルを持つ。 
前記第１出力チャンネルグループは一番目から I１番目、I２番目、I３番目(ただ、１<I１<I２<I３<N)中からいずれかまでの出力チャンネルを含む。 
前記第３出力チャンネルグループは N番目から J１番目、J２番目、J３番目(ただ、I３<J１<J２<J３<N)中からいずれかまでの出力チャンネルを含む。 
【００４１】
前記出力チャンネルの中で I１+１番目から J３-１番目まで、I２+１番目から J２-１番目まで、I３+１番目から J１-１番目の中である一グループは前記ダミー出力チャンネルである。 
前記ダミー出力チャンネルはフローティングされる。 
前記ダミー出力チャンネルは一定常数の電圧に設定される。 
【００４２】
前記選択信号発生部は前記選択制御信号を発生するスイッチを具備する。 
前記選択信号発生部は前記選択制御信号を発生するディープスイッチを具備する。 
前記出力チャンネルの数はプログラム化される。 
【００４３】
本発明の他の実施例によるデータ駆動集積回路はスタートパルスをシフトさせてサンプリング信号を発生するためのN(ただ、Nは陽の定数)個のシフトレジスタから構成されたシフトレジスタ部を含むデータ駆動集積回路において、第１及び第２出力チャンネル群から構成された出力チャンネル部と、前記シフトレジスタ部で前記第１出力チャンネル群と対応される第１群のシフトレジスタからの出力信号を選択して前記第１出力チャンネル群の中、一部のデータラインと接続されられる第１データ出力チャンネル群を選択する第１選択部と、前記第１選択部からの出力信号を前記第２出力チャンネル群と対応される第２群のシフトレジスタに供給して前記第２出力チャンネル群の中、他のデータラインと接続される第２データ出力チャンネル群を選択する第２選択部とを具備する。
【００４４】
及び、本発明のデータ駆動集積回路は前記第１及び第２データ出力チャンネル群の選択のためのチャンネル選択信号を発生する選択信号発生部をさらに具備する。 
【００４５】
前記選択信号発生部は前記データラインの数、前記データ集積回路の個数、前記データ集積回路が実裝されるテープキャリアパッケージの幅、前記データ集積回路のデータ入力欄である数の中から少なくとも一つの条件に沿って前記チャンネル選択信号を発生する。 
【００４６】
前記選択信号発生部は電圧源及び基底電圧源に接続されて前記チャンネル選択信号を発生する選択端子を具備する。 
前記選択信号発生部は前記チャンネル選択信号を発生するスイッチを具備する。 
前記選択信号発生部は前記チャンネル選択信号を発生するディープスイッチを具備する。 
【００４７】
前記第１及び第２データ出力チャンネルは同一な出力チャンネルを持つ。 
前記第１選択部は前記チャンネル選択信号に沿って前記 N個のシフトレジスタの第I１(ただ、I１は１より大きい陽の定数)番目、I２(ただ、I２は I１より大きい陽の定数)番目及び I３(ただ、I３は I２より大きくて Nより小さな陽の定数)番目シフトレジスタの出力信号の中からいずれかを選択する第１マルチフレクサーを具備する。 
【００４８】
前記第２選択部は、前記チャンネル選択信号に沿って第１マルチフレクサーからの出力信号を出力するデマルチプレクサーと、前記チャンネル選択信号に沿って前記デマルチプレクサーからの出力信号と前記 N個のシフトレジスタの第J１-１(ただ、J１は I３より大きい陽の定数)番目シフトレジスタの出力信号の中からいずれかを選択して第J１番目シフトレジスタに供給する第２マルチフレクサーと、前記チャンネル選択信号に沿って前記デマルチプレクサーからの出力信号と前記 N個のシフトレジスタの第J２-１(ただ、J２は J１より大きい陽の定数)番目シフトレジスタの出力信号の中からいずれかを選択して第J２番目シフトレジスタに供給する第３マルチフレクサーと、前記チャンネル選択信号に沿って前記デマルチプレクサーからの出力信号と前記 N個のシフトレジスタの第J３-１(ただ、J３は J２より大きくてNより小さな陽の定数)番目シフトレジスタの出力信号の中からいずれかを選択して第J３番目シフトレジスタに供給する第４マルチフレクサーとを具備する。 
【００４９】
前記チャンネル選択部は前記チャンネル選択信号に応答して前記第１出力チャンネル群の中、一番目から I１番目、I２番目、I３番目(ただ、１<I１<I２<I３<N)出力チャンネルの中からいずれか一つまでを第１データ出力チャンネル群で選択する。 
【００５０】
前記チャンネル選択部は前記チャンネル選択信号に応答して前記第２出力チャンネル群の中、N番目から J１番目、J２番目、J３番目(ただ、 I３<J１<J２<J３<N)中からいずれか一つまでを第２データ出力チャンネル群で選択する。 
【００５１】
前記出力チャンネルの中で I１+１番目から J３-１番目まで、I２+１番目から J２-１番目まで、I３+、１番目から J１-１番目の中である一グループは前記ダミー出力チャンネルである。 
前記ダミー出力チャンネルはフローティングされる。 
前記ダミー出力チャンネルは一定常数の電圧に設定される。
【００５２】
本発明の実施例によるデータ駆動集積回路の駆動方法は表示装置で要求される解像度を決める段階と、多数の出力チャンネルの中で前記要求される解像度に対応して画素データが供給されられるデータ出力チャンネルを含んで、少なくとも２個の領域を持つデータ出力チャンネルグループを選択する段階と、前記選択されたデータ出力チャンネルグループを通じてデータラインで画素データを供給して、非選択された出力チャンネルでは画素データを供給しない段階とを含む。 
【発明を実施するための最良の形態】
【００５３】
［実施例］
以下、本発明の実施例を添付した図４乃至図１７を参照して詳細に説明する。
図４を参照すると、本発明の第１実施例による液晶表示装置は液晶セルなどがマトリックス形態で配列された液晶パネル（１０２）と、液晶パネル（１０２）のゲートラインなど（ＧＬ１乃至ＧＬｎ）を駆動するためのゲートドライバ（１０６）と、液晶パネル（１０２）のデータラインなど（ＤＬ１乃至ＤＬｍ）を駆動するためのデータドライバ（１０４）と、ゲートドライバ（１０６）とデータドライバ（１０４）を制御するためのタイミング制御部（１０８）とを具備する。
【００５４】
液晶パネル（１０２）はゲートラインなど（ＧＬ１乃至ＧＬｎ）とデータラインなど（ＤＬ１乃至ＤＬｍ）の交差部毎に形成された薄膜トランジスタ（ＴＦＴ）と、薄膜トランジスタ（ＴＦＴ）と接続された液晶セル（図示しない）とを具備する。薄膜トランジスタ（ＴＦＴ）はゲートライン（ＧＬ）からのスキャン信号、即ちゲート・ハイ電圧（ＶＧＨ）が供給される場合、ターン・オンされてデータライン（ＤＬ）からの画素信号を液晶セルに供給する。そして、薄膜トランジスタ（ＴＦＴ）はゲートライン（ＧＬ）からゲート・ロー電圧（ＶＧＬ）が供給される場合、ターン・オフされて液晶セルに充電された画素信号が維持されるようにする。
【００５５】
液晶セルは等価的に液晶容量のキャパシティで表現されて、液晶を間に置いて対面する共通電極と 薄膜トランジスタ（ＴＦＴ）に接続された画素電極を含む。そして、液晶セルは充電された画素信号が次の画素信号が充電される際まで安定的に維持されるようにするためにストリッジ・キャパシティとを更に具備する。このストリッジ・キャパシティは画素電極と以前段のゲートラインの間に形成される。このような液晶セル（７）は薄膜トランジスタ（ＴＦＴ）を通して充電される画素信号につれて誘電異方性を有する液晶の配列状態が可変して光透過率を調節することでグラデーションを具現するようになる。
【００５６】
タイミング制御部（１０８）は図示されないビデオ・カードから供給される同期信号（Ｖ，Ｈ）を利用してゲート制御信号など（ＧＳＰ，ＧＳＣ，ＧＯＥ）及びデータ制御信号など（ＳＳＰ，ＳＳＣ，ＳＯＥ，ＰＯＬ）を発生する。ゲート制御信号など（ＧＳＰ，ＧＳＣ，ＧＯＥ）はゲート・ドライバ（１０６）に供給されてゲート・ドライバを制御するようになり、データ制御信号など（ＳＳＰ，ＳＳＣ，ＳＯＥ，ＰＯＬ）はデータ・ドライバ（１０４）に供給されてデータ・ドライバを除去するようになる。共に、タイミング制御部（１０８）は赤色（Ｒ）、緑色（Ｇ）及び青色（Ｂ）の画素データ（ＶＤ）を整列してデータ・ドライバ（１０４）に供給する。
【００５７】
ゲート・ドライバ（１０６）はゲートラインなど（ＧＬ１乃至ＧＬｎ）を順次に駆動させる。このために、ゲート・ドライバ（１０６）は多数のゲートＩＣ（図示しない）とを具備する。ゲートＩＣなどは自分に接続されたゲートラインなど（ＧＬ１乃至ＧＬｎ）をタイミング制御部（１０８）からの制御によって順次に駆動させる。もう一度言って、ゲートＩＣなどはタイミング制御部（１０８）から供給されるゲート制御信号など（ＧＳＰ，ＧＳＣ，ＧＯＥ）に応答してゲートラインなど（ＧＬ１乃至ＧＬｎ）に順次にゲート・ハイ電圧（ＶＧＨ）を順次に供給する。
【００５８】
具体的に、ゲート・ドライバ（１０６）はゲート・スタート・パルス（ＧＳＰ）をゲート・シフト・クラック（ＧＳＣ）につれてシフトさせてシフトパルスを発生する。そして、ゲート・ドライバ（１０６）はシフト・パルスに応答して水平期間毎に当たるゲートライン（ＧＬ）にゲート・ハイ電圧（ＶＧＨ）を供給するようになる。もう一度言って、シフトパルスは水平期間毎に一ラインずつシフトされて、ゲートＩＣなどの中のいずれか一つはシフトパルスに対応されて当たるゲートライン（ＧＬ）にゲート・ハイ電圧（ＶＧＨ）を供給する。この場合、ゲートＩＣ（１０）などはゲートラインなど（ＧＬ１乃至ＧＬｎ）にゲート・ハイ電圧（ＶＧＨ）が供給されない残りの期間ではゲート・ロー電圧（ＶＧＬ）を供給する。
【００５９】
データ・ドライバ（１０４）は水平期間毎に１ライン分ずつの画素信号をデータラインなど（ＤＬ１乃至ＤＬｍ）に供給する。このために、データ・ドライバ（１０４）は多数のデータＩＣ（１１６）などを具備する。データＩＣ（１１６）などのそれぞれはテープ・キャリアー・パッケージ（以下、”データＴＣＰ”という）（１１０）の上に実装される。このような、データＩＣ（１１６）などは電気的に接続される。そして、データＩＣ（１１６）などはタイミング制御部（１０８）から供給されるデータ制御信号など（ＳＳＰ，ＳＳＣ，ＳＯＥ，ＰＯＬ）に応答してデータラインなど（ＤＬ１乃至ＤＬｍ）に画素信号を供給する。この際、データＩＣ（１１６）などはタイミング制御部（１０８）からの画素データ（ＶＤ）をガンマ電圧発生部（図示しない）からのガンマ電圧を利用してアナログ画素信号に変換して出力する。
【００６０】
具体的に、データＩＣ（１１６）などはソース・スタート・パルス（ＳＳＰ）をソース・シフト・クラック（ＳＳＣ）につれてシフトさせてサンプリング信号を発生する。続いて、データＩＣ（１１６）などはサンプリング信号に応答して画素データ（ＶＤ）を一定の単位ずつ順次にラッチする。以後、ラッチされた１ライン分の画素データ（ＶＤ）をアナログ画素信号に変換してソース出力エナーブル信号（ＳＯＥ）のエナーブル期間にデータラインなど（ＤＬ１乃至ＤＬｍ）に供給するようになる。この場合、データＩＣ（１１６）などは画素データ（ＶＤ）を極性制御信号（ＰＯＬ）に応答して正極性または負極性の画素信号に変換するようになる。
【００６１】
一方、本発明の第１実施例による液晶表示装置のデータＩＣ（１１６）などのそれぞれは外部から入力される第１及び第２チャンネル選択信号（Ｐ１，Ｐ２）に応答してデータラインなど（ＤＬ１乃至ＤＬｍ）に画素信号を供給するための出力チャンネルを変更するようになる。このために、データＩＣ（１１６）などのそれぞれは第１及び第２チャンネル選択信号（Ｐ１，Ｐ２）が供給される第１及び第２オプションピン（ＯＰ１，ＯＰ２）とを具備する。
【００６２】
第１及び第２オプションピン（ＯＰ１，ＯＰ２）のそれぞれは電圧源（ＶＣＣ）及び基底電圧源（ＧＮＤ）に選択的に接続されて２ビット２進論理値を有するようになる。これにつれて、第１及び第２オプションピン（ＯＰ１，ＯＰ２）を通してデータＩＣ（１１６）に供給される第１及び第２チャンネル選択信号（Ｐ１，Ｐ２）は”００”、”０１”、”１０”及び”１１”の値を有するようになる。
【００６３】
これにつれて、データＩＣ（１１６）などのそれぞれは第１及び第２オプションピン（ＯＰ１，ＯＰ２）を通して供給される第１及び第２チャンネル選択信号（Ｐ１，Ｐ２）につれて液晶パネル（１０２）の解像図につれてすでに設定された出力チャンネルを有するようになる。
【００６４】
このような液晶パネル（１０２）の解像図につれてデータＩＣ（１１６）の出力チャンネルによるデータＩＣ（１１６）の個数を表１に表した。
【表１】
2005173592.tif 000003
【００６５】
表１を参照すると、四つチャンネルですべての解像図を表現することができることがわかる。即ち、ＸＧＡ級の解像図を有する液晶パネル（１０２）では６１８個のデータ出力チャンネルを有する五つのデータＩＣ（１１６）が必要となる。この際、残る１８個のデータ出力チャンネルはダミーラインを処理する。また、ＳＸＧＡ＋級の解像図を有する液晶パネル（１０２）では６００個のデータ出力チャンネルを有する七つのデータＩＣ（１１６）が必要となる。また、ＵＸＧＡ＋級の解像図を有する液晶パネル（１０２）では６００個のデータ出力チャンネルを有する八つのデータＩＣ（１１６）が必要となる。そして、 ＷＸＧＡ＋級の解像図を有する液晶パネル（１０２）では６４２個のデータ出力チャンネルを有する六つのデータＩＣ（１１６）が必要となる。また、ＷＳＸＧＡ―級の解像図を有する液晶パネル（１０２）では６１８個のデータ出力チャンネルを有する七つのデータＩＣ（１１６）が必要となる。また、ＷＳＸＧＡ級の解像図を有する液晶パネル（１０２）では６３０個のデータ出力チャンネルを有する八つのデータＩＣ（１１６）が必要となる。また、ＷＵＸＧＡ級の解像図を有する液晶パネル（１０２）では６４２個のデータ出力チャンネルを有する九つのデータＩＣ（１１６）が必要となる。
【００６６】
これにつれて、本発明の第１実施例による液晶表示装置は第１及び第２チャンネル選択信号（Ｐ１，Ｐ２）につれてデータＩＣ（１１６）の出力チャンネルを６００チャンネル、６１８チャンネル、６３０チャンネル及び６４２チャンネルの中のいずれか一つで設定することで液晶パネル（１０２）のすべての解像図を表現することができる。もう一度言って、本発明の第１実施例による液晶表示装置のデータＩＣ（１１６）は６４２個のデータ出力チャンネルを有するように製造して、第１及び第２オプションピン（ＯＰ１，ＯＰ２）からの第１及び第２チャンネル選択信号（Ｐ１，Ｐ２）につれてデータＩＣ（１１６）の出力チャンネルを設定することで液晶パネル（１０２）のすべての解像図に共用に使用することができる。
【００６７】
これを詳細に説明すると、本発明の第１実施例による液晶表示装置のデータＩＣ（１１６）は６４２個のデータ出力チャンネルを有するように製造される。
【００６８】
第１及び第２オプションピン（ＯＰ１，ＯＰ２）のそれぞれが基底電圧源（ＧＮＤ）に接続されてデータＩＣ（１１６）に供給される第１及び第２チャンネル選択信号（Ｐ１，Ｐ２）の値が”００”である場合にデータＩＣ（１１６）は図５に示したように６４２個のデータ出力チャンネルの中の第１乃至第６００データ出力チャンネルを通して画素電圧信号を出力するようになる。この際、第６０１乃至第６４２出力チャンネルはダミー出力チャンネルになる。また、第１オプションピン（ＯＰ１）が基底電圧源（ＧＮＤ）に接続されると共に第２オプションピン（ＯＰ２）が電圧源（ＶＣＣ）に接続されてデータＩＣ（１１６）に供給される 第１及び第２チャンネル選択信号（Ｐ１，Ｐ２）の値が”０１”である場合にデータＩＣ（１１６）は図６に示したように６４２個のデータ出力チャンネルの中の第１乃至第６１８データ出力チャンネルを通して画素電圧信号を出力するようになる。この際、第６１９乃至第６４２出力チャンネルはダミー出力チャンネルになる。そして、第１オプションピン（ＯＰ１）が電圧源（ＶＣＣ）に接続されると共に第２オプションピン（ＯＰ２）が 基底電圧源（ＧＮＤ）に接続されてデータＩＣ（１１６）に供給される第１及び第２チャンネル選択信号（Ｐ１，Ｐ２）の値が”１０”である場合にデータＩＣ（１１６）は図７に示したように６４２個のデータ出力チャンネルの中の第１乃至第６３０データ出力チャンネルを通して画素電圧信号を出力するようになる。この際、第６３１乃至第６４２出力チャンネルはダミー出力チャンネルになる。最後に、第１及び第２オプションピン（ＯＰ１、ＯＰ２）のそれぞれが電圧源（ＶＣＣ）に接続されてデータＩＣ（１１６）に供給される第１及び第２チャンネル選択信号（Ｐ１，Ｐ２）の値が”１１”である場合にデータＩＣ（１１６）は図８に示したように第１乃至第６４２データ出力チャンネルを通して画素電圧信号を出力するようになる。
【００６９】
これにつれて、本発明の第１実施例による液晶表示装置のデータＩＣ（１１６）は図９に示したように第１及び第２オプションピン（ＯＰ１、ＯＰ２）に供給される第１及び第２チャンネル選択信号（Ｐ１，Ｐ２）につれてデータＩＣ（１１６）の出力チャンネルを設定するためのチャンネル選択部（１３０）と、順次的であるサンプリング信号を供給するためのシフト・レジスタ部（１３４）と、サンプリング信号に応答して画素データ（ＶＤ）を順次にラッチして同時に出力するラッチ部（１３６）と、ラッチ部（１３６）からの画素データ（ＶＤ）を画素電圧信号に変換するデジタル・アナログ変換部（以下、”ＤＡＣ部”という）（１３８）と、ＤＡＣ（１３８）からの画素電圧信号を緩衝して出力する出力バッパ部（１４６）とを具備する。
【００７０】
また、データＩＣ（１１６）などはタイミング制御部（１０８）から供給される各種の制御信号などと画素データ（ＶＤ）を中継する信号制御部（１２０）と、ＤＡＣ部（１３８）で必要とする正極性及び負極性のガンマ電圧などを供給するガンマ電圧部（１３２）とを更に具備する。
【００７１】
信号制御部（１２０）はタイミング制御部（１０８）からの各種の制御信号など（ＳＳＰ，ＳＳＣ，ＳＯＥ，ＲＥＶ，ＰＯＬなど）と画素データ（ＶＤ）が当たる構成要素などで出力されるように制御する。
【００７２】
ガンマ電圧部（１３２）はガンマ基準電圧の発生部（図示しない）から入力される多数このガンマ基準電圧をグレイ別に細分化して出力する。
【００７３】
チャンネル選択部（１３０）は第１及び第２オプションピン（ＯＰ１、ＯＰ２）を通して第１及び第２チャンネル選択信号（Ｐ１，Ｐ２）につれて第１乃至第４チャンネル制御信号（ＣＳ１乃至ＣＳ４）をシフト・レジスタ部（１３４）に供給するようになる。即ち、チャンネル選択部（１３０）は”００”の値を有する第１及び第２チャンネル選択信号（Ｐ１，Ｐ２）に対応される第１チャンネル制御信号（ＣＳ１）と、”０１”の値を有する第１及び第２チャンネル選択信号（Ｐ１，Ｐ２）に対応される第２チャンネル制御信号（ＣＳ２）と、”１０”の値を有する第１及び第２チャンネル選択信号（Ｐ１，Ｐ２）に対応される第３チャンネル制御信号（ＣＳ３）と、”１１”の値を有する第１及び第２チャンネル選択信号（Ｐ１，Ｐ２）に対応される第４チャンネル制御信号（ＣＳ４）を発生する。
【００７４】
シフト・レジスタ部（１３４）に含まれたシフト・レジスタなどは信号制御部（１２０）からのソース・スタート・パルス（ＳＳＰ）をソース・シフト・クラック（ＳＳＣ）につれてシフトさせてサンプリング信号に出力する。この際、シフト・レジスタ部（１３４）は６４２個のシフト・レジスタなど（ＳＲ１乃至ＳＲ６４２）で構成される。
【００７５】
このような、シフト・レジスタ部（１３４）はチャンネル選択部（１３０）からの第１乃至第４チャンネル制御信号（ＣＳ１乃至ＣＳ４）につれて第６００、第６１８、第６３０及び第６４２シフト・レジスタ（ＳＲ６００、ＳＲ６２８、ＳＲ６３０、ＳＲ６４２）のそれぞれの出力信号を次の段データＩＣ（１１６）に供給するようになる。
【００７６】
具体的に、チャンネル選択部（１３０）から第１チャンネル制御信号（ＣＳ１）に供給される場合にシフト・レジスタ部（１３４）は第１乃至第６００番目のシフト・レジスタなど（ＳＲ１乃至ＳＲ６００）を利用して信号制御部（１２０）からのソース・スタート・パルス（ＳＳＰ）をソース・サンプリング・クラック信号（ＳＳＣ）につれて順次にシフトさせてサンプリング信号に出力するようになる。この際、第６００番目のシフト・レジスタなど（ＳＲ６００）の出力信号（キャリ信号）を次の段のデータＩＣ（１１６）の一番目のシフト・レジスタ（ＳＲ１）に供給するようになる。これにつれて、第６０１乃至第６４２シフト・レジスタ（ＳＲ６０１乃至ＳＲ６４２）はサンプリング信号を出力しなくなる。ここで、シフト・レジスタが陽の方向に駆動される場合に中間の４２個のチャンネルを使用しなくてダミー処理して構造の上、もっと有利に使用することができる。
【００７７】
一方、チャンネル選択部（１３０）から第２チャンネル制御信号（ＣＳ２）に供給される場合にシフト・レジスタ部（１３４）は第１乃至第６１８番目のシフト・レジスタなど（ＳＲ１乃至ＳＲ６１８）を利用して信号制御部（１２０）からのソース・スタート・パルス（ＳＳＰ）をソース・サンプリング・クラック信号（ＳＳＣ）につれて順次にシフトさせてサンプリング信号に出力するようになる。この際、第６１８番目のシフト・レジスタなど（ＳＲ６００）の出力信号（キャリ信号）を次の段のデータＩＣ（１１６）の一番目のシフト・レジスタ（ＳＲ１）に供給するようになる。これにつれて、第６１９乃至第６４２シフト・レジスタ（ＳＲ６１９乃至ＳＲ６４２）はサンプリング信号を出力しなくなる。ここで、シフト・レジスタが陽の方向に駆動される場合、中間の２４個のチャンネルを使用しなくてダミー処理して構造の上、もっと有利に使用することができる。
【００７８】
一方、チャンネル選択部（１３０）から第３チャンネル制御信号（ＣＳ３）に供給される場合にシフト・レジスタ部（１３４）は第１乃至第６３０番目のシフト・レジスタなど（ＳＲ１乃至ＳＲ６３０）を利用して信号制御部（１２０）からのソース・スタート・パルス（ＳＳＰ）をソース・サンプリング・クラック信号（ＳＳＣ）につれて順次にシフトさせてサンプリング信号に出力するようになる。この際、第６３０番目のシフト・レジスタなど（ＳＲ６００）の出力信号（キャリ信号）を次の段のデータＩＣ（１１６）の一番目のシフト・レジスタ（ＳＲ１）に供給するようになる。これにつれて、第６３１乃至第６４２シフト・レジスタ（ＳＲ６３１乃至ＳＲ６４２）はサンプリング信号を出力しなくなる。ここで、シフト・レジスタが陽の方向に駆動される場合に中間の１２個のチャンネルを使用しなくてダミー処理して構造の上、もっと有利に使用することができる。
【００７９】
一方、チャンネル選択部（１３０）から第４チャンネル制御信号（ＣＳ４）に供給される場合にシフト・レジスタ部（１３４）は第１乃至第６４２番目のシフト・レジスタなど（ＳＲ１乃至ＳＲ６４２）を利用して信号制御部（１２０）からのソース・スタート・パルス（ＳＳＰ）をソース・サンプリング・クラック信号（ＳＳＣ）につれて順次にシフトさせてサンプリング信号に出力するようになる。この際、第６４２番目のシフト・レジスタなど（ＳＲ６００）の出力信号（キャリ信号）を次の段のデータＩＣ（１１６）の一番目のシフト・レジスタ（ＳＲ１）に供給するようになる。
【００８０】
ラッチ部（１３６）はシフト・レジスタ部（１３４）からのサンプリング信号に応答して信号制御部（１２０）からの画素データ（ＶＤ）を一定単位ずつ順次にサンプリングしてラッチするようになる。このために、ラッチ部（１３６）は６４２個の画素データ（ＶＤ）をラッチするために６４２個のラッチなどで構成されて、ラッチなどのそれぞれは画素データ（ＶＤ）のビット数に対応する大きさを有する。特に、タイミング制御部（１０８）は伝送周波数を減らすために画素データ（ＶＤ）をイーブン画素データとオード画素データに分けてそれぞれの伝送ラインを通して同時に出力するようになる。ここで、イーブン画素データ（ＶＤｅｖｅｎ）とオード画素データ（ＶＤｏｄｄ）のそれぞれは赤（Ｒ），緑（Ｇ），青（Ｂ）画素データを含む。
【００８１】
これにつれてラッチ部（１３６）はサンプリング信号毎に信号制御部（１２０）を経由して供給されるイーブン画素データとオード画素データを同時にラッチするようになる。続いて、ラッチ部（１３６）は信号制御部（１２０）からのソース出力エナーブル信号（ＳＯＥ）に応答してラッチされた６３０個、６３０個及び６４２個の中のいずれか一つのデータ出力チャンネルを通して画素データ（ＶＤ）を同時に出力する。この場合、ラッチ部（１３６）はデータ反転選択信号（ＲＥＶ）に応答してトランジーション・ビット数が減らすように変造された画素データ（ＶＤ）などを復元させて出力するようになる。これはタイミング制御部（１０８）でデータ伝送の際に電磁気的な干渉（ＥＭＩ）を最小化するためにトランジーションされるビット数が基準値を越す画素データ（ＶＤ）などはトランジーション・ビット数が減るように変造して供給するためである。
【００８２】
ＤＡＣ部（１３８）はラッチ部（１３６）からの画素データ（ＶＤ）を同時に正極性及び負極性の画素電圧信号に変換して出力するようになる。このために、ＤＡＣ部（１３８）はラッチ部（１３６）に共通接続されたＰ（Ｐｏｓｉｔｉｖｅ）デコーディング部（１４０）及びＮ（Ｎｅｇａｔｉｖｅ）デコーディング部（１４２）ト、Ｐデコーディング部（１４０）オヨビＮデコーディング部（１４２）の出力信号を選択するためのマルチプレクサ（ＭＵＸ；１４４）とを具備する。
【００８３】
Ｐデコーディング部（１４０）に含まれるｎ個のＰデコーダーなどはラッチ部（１３６）から同時に入力されるｎ個の画素データなどをガンマ電圧部（１３２）からの正極性のガンマ電圧などを利用して正極性画素電圧信号に変換するようになる。Ｎデコーディング部（１４２）に含まれるｎ個のＮデコーダーなどはラッチ部（１３６）から同時に入力されるｎ個の画素データなどをガンマ電圧部（３２）からの負極性ガンマ電圧などを利用して負極性の画素電圧信号に変換するようになる。マルチプレクサ部（１４４）に含まれる最大６４２個のマルチプレクサなどは信号制御部（１２０）からの極性制御信号（ＰＯＬ）に応答してＰデコーダー（１４０）からの正極性の画素電圧信号またはＮデコーダー（１４２）からの負極性の画素電圧信号を選択して出力するようになる。
【００８４】
出力バッパ部（１４６）に含まれる最大６４２個の出力バッパなどは最大６４２個のデータラインなど（ＤＬ１乃至ＤＬ６４２）などに直列にそれぞれ接続された電圧ホロワー（Ｖｏｌｔａｇｅ  ｆｏｌｌｏｗｅｒ）などで構成される。このような出力バッパなどはＤＡＣ部（１３８）からの画素電圧信号などを信号緩衝してデータラインなど（ＤＬ１乃至ＤＬ６４２）に供給するようになる。
【００８５】
このような本発明の第１実施例による液晶表示装置で６００個のデータ出力チャンネルを有するデータＩＣ（１１６）は表１に表したようにＳＸＧＡ＋級及びＵＸＧＡ急の解像図を有する液晶パネル（１０２）に使用されて、６１８個のデータ出力チャンネルを有するデータＩＣ（１１６）はＷＳＸＧＡ級の解像図を有する液晶パネル（１０２）に使用されて、６４２個のデータ出力チャンネルを有するデータＩＣ（１１６）はＷＸＧＡ級とＷＵＸＧＡ級の解像図を有する液晶パネル（１０２）に使用される。
【００８６】
一方、本発明の第１実施例による液晶表示装置は上述のところのように第1及び第2出力選択信号（Ｐ１，Ｐ２）につれて変更されるデータＩＣ（１１６）の出力チャンネルに対応されるようにＴＣＰパッド（１１２）、液晶パネル（１０２）のデータパッド（１１４）及びリンク部（１１８）を設計するようになる。
【００８７】
このような、本発明の第1実施例による液晶表示装置とその駆動方法のデータＩＣ（１１６）は第１及び第２オプションピン（ＯＰ１、ＯＰ２）に供給される第1及び第2出力選択信号（Ｐ１，Ｐ２）につれて表1に表したように液晶パネル（１０２）の解像図につれてデータＩＣ（１１６）の出力チャンネルを設定することで一種類のデータＩＣ（１１６）だけでもすべての解像図を表現することができるようになる。これにつれて、本発明の第１実施例による液晶表示装置は作業性の向上及び製造費用を減少させることができる。
【００８８】
図１０は本発明の第２実施例による液晶表示装置でデータＩＣを表すブロック図である。
図１０を参照すると、本発明の第２実施例による液晶表示装置はデータＩＣ（２１６）を除いてはすべての構成要素は本発明の第１実施例による液晶表示装置と同一になる。これにつれて、本発明の第２実施例による液晶表示装置では図１０を図４と結びつけてデータＩＣ（２１６）だけを説明することにし、異なる構成要素などに対する説明は省略する。この際、図４に示されたデータＩＣの図面符号”１１６”は図１０に示された”２１６”に代えることにする。
【００８９】
本発明の第２実施例による液晶表示装置でデータＩＣ（２１６）はデータラインなど（ＤＬ乃至ＬＤｍ）に画素データを供給する第1データ出力チャンネル群（２６０）及び第2データ出力チャンネル群（２６２）と、第1及び第2データ出力チャンネル群（２６０，２６２）の間のダミー・データ出力チャンネル群（２６４）とを具備する。
【００９０】
このような、データＩＣ（２１６）はデータラインなど（ＤＬ乃至ＬＤｍ）の数につれてダミー・データ出力チャンネル群（２６４）を通してデータラインなど（ＤＬ乃至ＬＤｍ）に供給されるがそデータの出力可否を決定するための第1及び第2チャンネル選択信号（Ｐ１，Ｐ２）が供給される第１及び第２オプションピン（ＯＰ１、ＯＰ２）とを更に具備する。
【００９１】
第１及び第２オプションピン（ＯＰ１，ＯＰ２）のそれぞれは電圧源（ＶＣＣ）及び基底電圧源（ＧＮＤ）に選択的に接続されて２ビット２進論理値を有するようになる。これにつれて、第１及び第２オプションピン（ＯＰ１，ＯＰ２）を通してデータＩＣ（２１６）に供給される第１及び第２チャンネル選択信号（Ｐ１，Ｐ２）は”００”、”０１”、”１０”及び”１１”の値を有するようになる。
【００９２】
これにつれて、データＩＣ（２１６）などのそれぞれは第１及び第２オプションピン（ＯＰ１，ＯＰ２）を通して供給される第１及び第２チャンネル選択信号（Ｐ１，Ｐ２）につれて液晶パネル（１０２）の解像図につれてすでに設定された出力チャンネルを有するようになる。
【００９３】
このような液晶パネル（１０２）の解像図につれてデータＩＣ（２１６）の出力チャンネルによるデータＩＣ（２１６）の個数を表１のようである。
【００９４】
これにつれて、本発明の第２実施例による液晶表示装置は第１及び第２チャンネル選択信号（Ｐ１，Ｐ２）につれてデータＩＣ（２１６）の出力チャンネルを６００チャンネル、６１８チャンネル、６３０チャンネル及び６４２チャンネルの中のいずれか一つで設定することで液晶パネル（１０２）のすべての解像図を表現することができる。もう一度言って、本発明の第3実施例による液晶表示装置のデータＩＣ（２１６）は６４２個の出力チャンネルを有するように製造して、第１及び第２オプションピン（ＯＰ１，ＯＰ２）からの第１及び第２チャンネル選択信号（Ｐ１，Ｐ２）につれてデータＩＣ（２１６）の出力チャンネルを設定することで液晶パネル（１０２）のすべての解像図に共用に使用することができる。
【００９５】
また、本発明の第2実施例による液晶表示装置は出力チャンネルの決定によるデータＩＣ（２１６）のダミー・データ出力群（２６４）をデータＩＣ（２１６）のデータ出力チャンネルなどの中の中間部分に配置するようになる。即ち、データＩＣ（２１６）の第1及び第2データ出力チャンネル群（２６０，２６２）はダミー・データ出力群（２６４）の間に置いて同一の出力チャンネルを有するようになる。これにつれて、本発明の第2実施例による液晶表示装置はデータＩＣ（２１６）の第1及び第2データ出力チャンネル群（２６０，２６２）のそれぞれの出力チャンネルを同一にすることで画素データの出力の際に電気的な干渉を減少させることができる。
【００９６】
これを詳細に説明すると、本発明の第２実施例による液晶表示装置のデータＩＣ（２１６）は６４２個の出力チャンネルを有するように製造される。
【００９７】
第１及び第２オプションピン（ＯＰ１，ＯＰ２）のそれぞれが基底電圧源（ＧＮＤ）に接続されてデータＩＣ（２１６）に供給される第１及び第２チャンネル選択信号（Ｐ１，Ｐ２）の値が”００”である場合にデータＩＣ（２１６）は図１１に示したように６４２個のデータ出力チャンネルの中の第１乃至第３００出力チャンネルを有する第1データ出力チャンネル群（２６０）及び第３４３乃至第６４２出力チャンネルを有する第２データ出力チャンネル群（２６２）を通して画素電圧信号を出力するようになる。この際、ダミー・データ出力チャンネル群（２６４）は第３０１乃至第３４２出力チャンネルを有してダミーラインに処理されて画素データが出力されたり出力されない。 また、第１オプションピン（ＯＰ１）が基底電圧源（ＧＮＤ）に接続されると共に第２オプションピン（ＯＰ２）が電圧源（ＶＣＣ）に接続されてデータＩＣ（２１６）に供給される第１及び第２チャンネル選択信号（Ｐ１，Ｐ２）の値が”０１”である場合にデータＩＣ（２１６）は図１２に示したように６４２個のデータ出力チャンネルの中の第１乃至第３０９出力チャンネルを有する第1データ出力チャンネル群（２６０）及び第３３４乃至第６４２出力チャンネルを有する第２データ出力チャンネル群（２６２）を通して画素電圧信号を出力するようになる。この際、ダミー・データ出力チャンネル群（２６４）は第３１０乃至第３３３出力チャンネルを有してダミーラインに処理されて画素データが出力されたり出力されない。そして、第１オプションピン（ＯＰ１）が電圧源（ＶＣＣ）に接続されると共に第２オプションピン（ＯＰ２）が 基底電圧源（ＧＮＤ）に接続されてデータＩＣ（１０１６）に供給される第１及び第２チャンネル選択信号（Ｐ１，Ｐ２）の値が”１０”である場合にデータＩＣ（１１６）は図１３に示したように６４２個のデータ出力チャンネルの中の第１乃至第３１５出力チャンネルを有する第１データ出力チャンネル群（２６０）及び第３２８乃至第６４２出力チャンネルを有する第2データ出力チャンネル群（２６２）を通して画素データを出力するようになる。この際、ダミー・データ出力チャンネル群（２６４）は第３１６乃至第３２７出力チャンネルを有してダミーラインに処理されて画素データが出力されたり出力されない。最後に、第１及び第２オプションピン（ＯＰ１、ＯＰ２）のそれぞれが電圧源（ＶＣＣ）に接続されてデータＩＣ（１０１６）に供給される第１及び第２チャンネル選択信号（Ｐ１，Ｐ２）の値が”１１”である場合にデータＩＣ（１０１６）は図１４に示したように 第１データ出力チャンネル群（２６０）、ダミー・データ出力チャンネル群（２６４）及び第2データ出力チャンネル群（２６２）、即ち、第1乃至第６４２出力チャンネルを通して画素データを出力するようになる。
【００９８】
このために、本発明の第２実施例による液晶表示装置のデータＩＣ（２１６）は図９に示したように第１及び第２オプションピン（ＯＰ１、ＯＰ２）に供給される第１及び第２チャンネル選択信号（Ｐ１，Ｐ２）につれてデータＩＣ（２１６）の出力チャンネルを設定するためのチャンネル選択部（１３０）と、順次的であるサンプリング信号を供給するためのシフト・レジスタ部（１３４）と、サンプリング信号に応答して画素データ（ＶＤ）を順次にラッチして同時に出力するラッチ部（１３６）と、ラッチ部（１３６）からの画素データ（ＶＤ）を画素電圧信号に変換するデジタル・アナログ変換部（以下、”ＤＡＣ部”という）（１３８）と、ＤＡＣ（１３８）からの画素電圧信号を緩衝して出力する出力バッパ部（１４６）とを具備する。
【００９９】
また、データＩＣ（２１６）などはタイミング制御部（１０８）から供給される各種の制御信号などと画素データ（ＶＤ）を中継する信号制御部（１２０）と、ＤＡＣ部（１３８）で必要とする正極性及び負極性のガンマ電圧などを供給するガンマ電圧部（１３２）とを更に具備する。
【０１００】
このような、チャンネル選択部（１３０）及びシフト・レジスタ部（１３４）を除いてはラッチ部（１３６）、ＤＡＣ部（１３８）、出力バッパ部（１４６）、信号制御部（１２０）及びガンマ電圧部（１３２）を含むデータＩＣ（２１６）は上述した本発明の第1実施例による液晶表示装置のデータＩＣと同一のために上述した説明に代えることにする。
【０１０１】
このような、本発明の第２実施例による液晶表示装置のデータＩＣ（２１６）は第１及び第２オプションピン（ＯＰ１、ＯＰ２）に供給される第1及び第2出力選択信号（Ｐ１，Ｐ２）につれて表1に表したように液晶パネル（１０２）の解像図につれてデータＩＣ（２１６）の出力チャンネルを設定することで一種類のデータＩＣ（１１６）だけでもすべての解像図を表現することができるようになる。これにつれて、本発明の第２実施例による液晶表示装置は作業性の向上及び製造費用を減少させることができる。
【０１０２】
一方、本発明の第1及び第2実施例による液晶表示装置でデータＩＣ（１１６，２１６）の第１及び第２オプションピン（ＯＰ１、ＯＰ２）に供給される第1及び第2チャンネル選択信号（Ｐ１，Ｐ２）は図１５に示したように第1及び第2スイッチ（Ｑ１，Ｑ２）の選択的なスイッチングによって発生することができる。
【０１０３】
第1スイッチ（Ｑ１）は電圧源（ＶＣＣ）と第１オプションピン（ＯＰ１）の間に接続されて、第2スイッチ（Ｑ２）は電圧源（ＶＣＣ）と第２オプションピン（ＯＰ２）の間に接続される。このような、第1及び第2スイッチ（Ｑ１，Ｑ２）のそれぞれはタイミング制御部（１０８）からのスイッチング信号（Ｓ１，Ｓ２）によってスイッチングされるか液晶パネル（１０２）の解像図につれて設定されたスイッチング信号（Ｓ１，Ｓ２）によってスイッチングされる。
【０１０４】
また一方で、本発明の第1及び第2実施例による液晶表示装置でデータＩＣ（１１６，２１６）の第１及び第２オプションピン（ＯＰ１、ＯＰ２）に供給される第1及び第2チャンネル選択信号（Ｐ１，Ｐ２）は図１６に示したように電圧源（ＶＣＣ）に接続されると共に第１及び第２オプションピン（ＯＰ１、ＯＰ２）のそれぞれに供給されたディップスイッチ（２５０）のスイッチング操作によって発生されることができる。
【０１０５】
ディップスイッチ（２５０）は液晶パネル（１０２）の解像図につれてシステム・エンジニアによってスイッチのそれぞれの位置が設定されることで第1及び第2チャンネル選択信号（Ｐ１，Ｐ２）を発生して第１及び第２オプションピン（ＯＰ１、ＯＰ２）のそれぞれに供給する。
【０１０６】
図１７は本発明の第３実施例による液晶表示装置でデータＩＣを表すブロック図である。
図１７を参照すると、本発明の第３実施例による液晶表示装置はデータＩＣ（２１６）を除いてはすべての構成要素は本発明の第１実施例による液晶表示装置と同一になる。これにつれて、本発明の第３実施例による液晶表示装置では図１７を図４に結び付けてデータＩＣ（２１６）だけを説明することにし、異なる構成要素などに対する説明は省略する。この際、図４に示されたデータＩＣの図面符号”１１６”は図１７に示された”２１６”に代えることにする。
【０１０７】
本発明の第３実施例による液晶表示装置でデータＩＣ（２１６）はデータラインなど（ＤＬ乃至ＬＤｍ）に画素データを供給する第1データ出力チャンネル群（２６０）及び第2データ出力チャンネル群（２６２）と、第1及び第2データ出力チャンネル群（２６０，２６２）の間のダミー・データ出力チャンネル群（２６４）とを具備する。
【０１０８】
このような、データＩＣ（２１６）はデータラインなど（ＤＬ乃至ＬＤｍ）の数につれてダミー・データ出力チャンネル群（２６４）を通してデータラインなど（ＤＬ乃至ＬＤｍ）に供給されるがそのデータの出力可否を決定するための第1及び第2チャンネル選択信号（Ｐ１，Ｐ２）が供給される第１及び第２オプションピン（ＯＰ１、ＯＰ２）とを更に具備する。
【０１０９】
第１及び第２オプションピン（ＯＰ１，ＯＰ２）のそれぞれは電圧源（ＶＣＣ）及び基底電圧源（ＧＮＤ）に選択的に接続されて２ビット２進論理値を有するようになる。これにつれて、第１及び第２オプションピン（ＯＰ１，ＯＰ２）を通してデータＩＣ（２１６）に供給される第１及び第２チャンネル選択信号（Ｐ１，Ｐ２）は”００”、”０１”、”１０”及び”１１”の値を有するようになる。
【０１１０】
これにつれて、データＩＣ（２１６）などのそれぞれは第１及び第２オプションピン（ＯＰ１，ＯＰ２）を通して供給される第１及び第２チャンネル選択信号（Ｐ１，Ｐ２）につれて液晶パネル（１０２）の解像図につれてすでに設定された出力チャンネルを有するようになる。
【０１１１】
このような液晶パネル（１０２）の解像図につれてデータＩＣ（２１６）の出力チャンネルによるデータＩＣ（２１６）の個数を表１のようである。
【０１１２】
これにつれて、本発明の第３実施例による液晶表示装置は第１及び第２チャンネル選択信号（Ｐ１，Ｐ２）につれてデータＩＣ（２１６）の出力チャンネルを６００チャンネル、６１８チャンネル、６３０チャンネル及び６４２チャンネルの中のいずれか一つで設定することで液晶パネル（１０２）のすべての解像図を表現することができる。もう一度言って、本発明の第3実施例による液晶表示装置のデータＩＣ（２１６）は６４２個の出力チャンネルを有するように製造して、第１及び第２オプションピン（ＯＰ１，ＯＰ２）からの第１及び第２チャンネル選択信号（Ｐ１，Ｐ２）につれてデータＩＣ（２１６）の出力チャンネルを設定することで液晶パネル（１０２）のすべての解像図に共用に使用することができる。
【０１１３】
また、本発明の第３実施例による液晶表示装置は出力チャンネルの決定によるデータＩＣ（２１６）のダミー・データ出力群（２６４）をデータＩＣ（２１６）のデータ出力チャンネルなどの中の中間部分に配置するようになる。即ち、データＩＣ（２１６）の第1及び第2データ出力チャンネル群（２６０，２６２）はダミー・データ出力群（２６４）の間に置いて同一の出力チャンネルを有するようになる。これにつれて、本発明の第３実施例による液晶表示装置はデータＩＣ（２１６）の第1及び第2データ出力チャンネル群（２６０，２６２）のそれぞれの出力チャンネルを同一にすることで画素データの出力の際に電気的な干渉を減少させることができる。
【０１１４】
これを詳細に説明すると、本発明の第２実施例による液晶表示装置のデータＩＣ（２１６）は６４２個の出力チャンネルを有するように製造される。
【０１１５】
第１及び第２オプションピン（ＯＰ１，ＯＰ２）のそれぞれが基底電圧源（ＧＮＤ）に接続されてデータＩＣ（２１６）に供給される第１及び第２チャンネル選択信号（Ｐ１，Ｐ２）の値が”００”である場合にデータＩＣ（２１６）は図１１に示したように６４２個のデータ出力チャンネルの中の第１乃至第３００出力チャンネルを有する第1データ出力チャンネル群（２６０）及び第３４３乃至第６４２出力チャンネルを有する第２データ出力チャンネル群（２６２）を通して画素電圧信号を出力するようになる。この際、ダミー・データ出力チャンネル群（２６４）は第３０１乃至第３４２出力チャンネルを有してダミーラインに処理されて画素データが出力されたり出力されない。また、第１オプションピン（ＯＰ１）が基底電圧源（ＧＮＤ）に接続されると共に第２オプションピン（ＯＰ２）が電圧源（ＶＣＣ）に接続されてデータＩＣ（２１６）に供給される第１及び第２チャンネル選択信号（Ｐ１，Ｐ２）の値が”０１”である場合にデータＩＣ（２１６）は図１２に示したように６４２個のデータ出力チャンネルの中の第１乃至第３０９出力チャンネルを有する第1データ出力チャンネル群（２６０）及び第３３４乃至第６４２出力チャンネルを有する第２データ出力チャンネル群（２６２）を通して画素電圧信号を出力するようになる。この際、ダミー・データ出力チャンネル群（２６４）は第３１０乃至第３３３出力チャンネルを有してダミーラインに処理されて画素データが出力されたり出力されない。そして、第１オプションピン（ＯＰ１）が電圧源（ＶＣＣ）に接続されると共に第２オプションピン（ＯＰ２）が 基底電圧源（ＧＮＤ）に接続されてデータＩＣ（２１６）に供給される第１及び第２チャンネル選択信号（Ｐ１，Ｐ２）の値が”１０”である場合にデータＩＣ（２１６）は図１３に示したように６４２個のデータ出力チャンネルの中の第１乃至第３１５出力チャンネルを有する第１データ出力チャンネル群（２６０）及び第３２８乃至第６４２出力チャンネルを有する第2データ出力チャンネル群（２６２）を通して画素データを出力するようになる。この際、ダミー・データ出力チャンネル群（２６４）は第３１６乃至第３２７出力チャンネルを有してダミーラインに処理されて画素データが出力されたり出力されない。最後に、第１及び第２オプションピン（ＯＰ１、ＯＰ２）のそれぞれが電圧源（ＶＣＣ）に接続されてデータＩＣ（１０１６）に供給される第１及び第２チャンネル選択信号（Ｐ１，Ｐ２）の値が”００”である場合にデータＩＣ（１０１６）は図１４に示したように 第１データ出力チャンネル群（２６０）、ダミー・データ出力チャンネル群（２６４）及び第2データ出力チャンネル群（２６２）、即ち、第1乃至第６４２出力チャンネルを通して画素データを出力するようになる。
【０１１６】
このために、本発明の第３実施例による液晶表示装置のデータＩＣ（２１６）は図１７に示したように第１及び第２オプションピン（ＯＰ１、ＯＰ２）に供給される第１及び第２チャンネル選択信号（Ｐ１，Ｐ２）につれてデータＩＣ（２１６）の出力チャンネルを設定するためのチャンネル選択部（３１８）と、順次的であるサンプリング信号を供給するためのシフト・レジスタ部（３３４）と、サンプリング信号に応答して画素データ（ＶＤ）を順次にラッチして同時に出力するラッチ部と、ラッチ部からの画素データ（ＶＤ）を画素電圧信号に変換するデジタル・アナログ変換部（以下、”ＤＡＣ部”という）と、ＤＡＣからの画素電圧信号を緩衝して出力する出力バッパ部とを具備する。
【０１１７】
また、データＩＣ（２１６）などはタイミング制御部（１０８）から供給される各種の制御信号などと画素データ（ＶＤ）を中継する信号制御部（１２０）と、ＤＡＣ部（１３８）で必要とする正極性及び負極性のガンマ電圧などを供給するガンマ電圧部（１３２）とを更に具備する。
【０１１８】
このような、チャンネル選択部（３１８）及びシフト・レジスタ部（３３４）を除いてはラッチ部、ＤＡＣ部、出力バッパ部、信号制御部及びガンマ電圧部を含むデータＩＣ（２１６）は上述した本発明の第1実施例による液晶表示装置のデータＩＣと同一のために上述した説明に代えることにする。
【０１１９】
本発明の第３実施例による液晶表示装置のデータＩＣ（２１６）でデータＩＣ（２１６）のシフト・レジスタ部（３３４）はＮ個のシフト・レジスタなど（ＳＲ１乃至ＳＲｎ）で構成される。シフト・レジスタ部（３３４）に含まれたシフト・レジスタなどは信号制御部からのソース・スタート・パルス（ＳＳＰ）をソース・スタート・パルス（ＳＳＰ）につれてシフトさせてサンプリング信号に出力する。このような、シフト・レジスタ部（３３４）の第Ｎ番目のシフト・レジスタ（ＳＲｎ）の出力信号（Ｃａｒｒｙ）は次の段のデータＩＣ（２１６）の第１番目のシフト・レジスタ（ＳＲ１）に供給される。この際、シフト・レジスタ部（３３４）は一例で６４２個のシフト・レジスタなど（ＳＲ１乃至ＳＲ６４２）で構成されたことと仮定して説明する。
【０１２０】
チャンネル選択部（３１８）は第１及び第２チャンネル選択信号（Ｐ１，Ｐ２）につれて第Ｉ１（ただ、Ｉ１は１より大きい陽の正数）番目のシフト・レジスタ（ＳＲＩ１）の出力信号、第Ｉ２（ただ、Ｉ２はＩ１より大きい陽の正数）番目のシフト・レジスタ（ＳＲＩ２）の出力信号及び第Ｉ３（ただ、Ｉ３はＩ２より大きてＮより小さい陽の正数）番目のシフト・レジスタ（ＳＲＩ３）の出力信号の中のいずれか一つを選択して出力する第1マルチプレクサ（３５０）と、第１及び第２チャンネル選択信号（Ｐ１，Ｐ２）につれて第1マルチプレクサ（３５０）の出力信号を第Ｊ１（ただ、Ｊ１はＩ３より大きい陽の正数）番目のシフト・レジスタ（ＳＲＪ１）の出力信号、第Ｊ２（ただ、Ｊ２はＪ１より大きい陽の正数）番目のシフト・レジスタ（ＳＲＪ２）の出力信号及び第Ｊ３（ただ、Ｊ３はＪ２より大きてＮより小さい陽の正数）番目のシフト・レジスタ（ＳＲＪ３）の出力信号の中のいずれか一つで供給するディマルチプレクサ（３５２）と、第2チャンネル選択信号（Ｐ２）につれて第Ｊ１−１番目のシフト・レジスタ（ＳＲＪ１−１）の出力信号及びディマルチプレクサ（３５２）の出力信号の中のいずれか一つをＪ１番目のシフト・レジスタ（ＳＲＪ１）へ供給する第２マルチプレクサ（３５４）と、第1チャンネル選択信号（Ｐ１）につれて第Ｊ２−１番目のシフト・レジスタ（ＳＲＪ２−１）の出力信号及びディマルチプレクサ（３５２）の出力信号の中のいずれか一つを第Ｊ２番目のシフト・レジスタ（ＳＲＪ２）へ供給する第3マルチプレクサ（３５６）と、第２チャンネル選択信号（Ｐ２）につれて第Ｊ３−１番目のシフト・レジスタ（ＳＲＪ３−１）の出力信号及びディマルチプレクサ（３５２）の出力信号の中のいずれか一つを第Ｊ３−１番目のシフト・レジスタ（ＳＲＪ３−１）の出力信号及びディマルチプレクサ（３５２）の出力信号の中のいずれか一つを第Ｊ３番目のシフト・レジスタ（ＳＲＪ３）へ供給する第４マルチプレクサ（３５８）とを具備する。ここで、以下、Ｉ１は第３００番目のシフト・レジスタ（ＳＲ３００）とし、Ｉ２は第３０９番目のシフト・レジスタ（ＳＲ３０９）とし、Ｉ３は第３１５番目のシフト・レジスタ（ＳＲ３１５）とする。また、Ｊ１は第３２８番目のシフト・レジスタ（ＳＲ３２８）とし、 Ｊ２は第３３４番目のシフト・レジスタ（ＳＲ３３４）とし、 Ｊ３は第３４３番目のシフト・レジスタ（ＳＲ３４３）とする。ここで、第1マルチプレクサ（３５０）は第1選択部になり、ディマルチプレクサ（３５２）、第２乃至第４マルチプレクサ（３５４，３５６，３５８）は第2選択部（３１９）になる。
【０１２１】
このような、第1マルチプレクサ（３５０）は第１及び第２チャンネル選択信号（Ｐ１，Ｐ２）の論理値が”００”である場合に第３００番目のシフト・レジスタ（ＳＲ３００）から供給される出力信号を選択してディマルチプレクサ（３５２）に供給する。また、第1マルチプレクサ（３５０）は第１及び第２チャンネル選択信号（Ｐ１，Ｐ２）の論理値が”０１”である場合に第３０９番目のシフト・レジスタ（ＳＲ３０９）から供給される出力信号を選択してディマルチプレクサ（３５２）に供給する。そして、第1マルチプレクサ（３５０）は第１及び第２チャンネル選択信号（Ｐ１，Ｐ２）の論理値が”１０”である場合に第３１５番目のシフト・レジスタ（ＳＲ３１５）から供給される出力信号を選択してディマルチプレクサ（３５２）に供給する。半面に、第1マルチプレクサ（３５０）は第１及び第２チャンネル選択信号（Ｐ１，Ｐ２）の論理値が”１１”である場合に無対処条件（Ｄｏｎ’ｔ  Ｃａｒｅ  Ｃｏｎｄｉｔｉｏｎｓ）になる。
【０１２２】
ディマルチプレクサ（３５２）は第１及び第２チャンネル選択信号（Ｐ１，Ｐ２）の論理値が”００”である場合に第1マルチプレクサ（３５０）から供給される出力信号を第４マルチプレクサ（３５８）に供給する。また、ディマルチプレクサ（３５２）は第１及び第２チャンネル選択信号（Ｐ１，Ｐ２）の論理値が”０１”である場合に第1マルチプレクサ（３５０）から供給される出力信号を第３マルチプレクサ（３５６）に供給する。そして、ディマルチプレクサ（３５２）は第１及び第２チャンネル選択信号（Ｐ１，Ｐ２）の論理値が”１０”である場合に第1マルチプレクサ（３５０）から供給される出力信号を第２マルチプレクサ（３５４）に供給する。半面に、ディマルチプレクサ（３５２）は第１及び第２チャンネル選択信号（Ｐ１，Ｐ２）の論理値が”１１”である場合に無情の条件になる。
【０１２３】
第２マルチプレクサ（３５４）は第2チャンネル選択信号（Ｐ２）の論理値が”０”である場合にディマルチプレクサ（３５２）からの出力信号を第３２８番目のシフトレジスタ（ＳＲ３２８）に供給する。また、第２マルチプレクサ（３５４）は第2チャンネル選択信号（Ｐ２）の論理値が”１”である場合に第３２７番目のシフトレジスタ（ＳＲ３２７）からの出力信号を第３２８番目のシフト・レジスタ（ＳＲ３２８）に供給する。
【０１２４】
第３マルチプレクサ（３５６）は第１チャンネル選択信号（Ｐ１）の論理値が”０”である場合にディマルチプレクサ（３５２）からの出力信号を第３３４番目のシフトレジスタ（ＳＲ３３４）に供給する。また、第３マルチプレクサ（３５６）は第１チャンネル選択信号（Ｐ１）の論理値が”１”である場合に第３３３番目のシフトレジスタ（ＳＲ３３３）からの出力信号を第３３４番目のシフト・レジスタ（ＳＲ３３４）に供給する。
【０１２５】
第４マルチプレクサ（３５８）は第2チャンネル選択信号（Ｐ２）の論理値が”０”である場合にディマルチプレクサ（３５２）からの出力信号を第３４３番目のシフトレジスタ（ＳＲ３４３）に供給する。また、第４マルチプレクサ（３５８）は第2チャンネル選択信号（Ｐ２）の論理値が”１”である場合に第３４２番目のシフトレジスタ（ＳＲ３４２）からの出力信号を第３４３番目のシフト・レジスタ（ＳＲ３４３）に供給する。
【０１２６】
このような、第１及び第２チャンネル選択信号（Ｐ１，Ｐ２）によるチャンネル選択部（３１８）及びシフト・レジスタ部（３３４）の動作を説明すると次のようである。
【０１２７】
まず、図１１に示したようにデータＩＣ（２１６）の出力チャンネルなどの中の第1乃至３００番目の出力チャンネルなどを第1出力チャンネル群（２６０）で選択して、第３０１乃至３４２番目の出力チャンネルなどをダミー出力チャンネル群（２６４）に選択して、第３４３乃至第６４２番目の出力チャンネルなどを第２出力チャンネル群（２６２）に選択する場合に、データＩＣ（２１６）のチャンネル選択部（３１８）には”００”の論理値を有する１及び第２チャンネル選択信号（Ｐ１，Ｐ２）が供給される。これにつれて、シフト・レジスタ部（３３４）は第１乃至第６００番目のシフト・レジスタなど（ＳＲ１乃至ＳＲ６００）を利用してソース・スタート・パルス（ＳＳＰ）をソース・サンプリング・クラック信号（ＳＳＣ）につれて順次にシフトさせてサンプリング信号に出力するようになる。この際、第３００番目のシフト・レジスタ（ＳＲ３００）の出力信号は第1マルチプレクサ（３５０）、ディマルチプレクサ（３５２）及び第4マルチプレクサ（３５８）を経由して第３４３番目のシフト・レジスタ（ＳＲ３４３）に供給される。ここで、第６４２番目のシフト・レジスタ（ＳＲ６４２）の出力信号は次の段のデータＩＣ（２１６）の第1シフト・レジスタ（ＳＲ１）に供給される。これにつれて、 第１乃至第３００番目のシフト・レジスタ（ＳＲ１乃至ＳＲ３００）と第３４３乃至第６４２番目のシフト・レジスタ（ＳＲ３４３乃至ＳＲ６４２）はサンプリング信号をラッチ部に供給する。この際、実質的に第３０１乃至第３４２番目のシフト・レジスタ（ＳＲ３０１乃至ＳＲ３４２）もまたサンプリング信号をラッチ部に供給するようになる。
【０１２８】
一方、図１２に示したようにデータＩＣ（２１６）の出力チャンネルなどの中の第１乃至第３０９番目の出力チャンネルなどを第1出力チャンネル群（２６０）に選択して、第３１０乃至３３３番目の出力チャンネルなどをダミー出力チャンネル群（２６４）に選択して、第３３４乃至第６４２番目の出力チャンネルなどを第２出力チャンネル群（２６２）に選択する場合に、データＩＣ（２１６）のチャンネル選択部（３１８）には”０１”の論理値を有する１及び第２チャンネル選択信号（Ｐ１，Ｐ２）が供給される。これにつれて、シフト・レジスタ部（３３４）は第１乃至第６００番目のシフト・レジスタなど（ＳＲ１乃至ＳＲ６００）を利用してソース・スタート・パルス（ＳＳＰ）をソース・サンプリング・クラック信号（ＳＳＣ）につれて順次にシフトさせてサンプリング信号に出力するようになる。この際、第３０９番目のシフト・レジスタ（ＳＲ３０９）の出力信号は第1マルチプレクサ（３５０）、ディマルチプレクサ（３５２）及び第３マルチプレクサ（３５６）を経由して第３３４番目のシフト・レジスタ（ＳＲ３３４）に供給される。ここで、第６４２番目のシフト・レジスタ（ＳＲ６４２）の出力信号は次の段のデータＩＣ（２１６）の第1シフト・レジスタ（ＳＲ１）に供給される。これにつれて、 第１乃至第３０９番目のシフト・レジスタ（ＳＲ１乃至ＳＲ３０９）と第３３４乃至第６４２番目のシフト・レジスタ（ＳＲ３３４乃至ＳＲ６４２）はサンプリング信号をラッチ部に供給する。この際、実質的に第３１０乃至第３３３番目のシフト・レジスタ（ＳＲ３１０乃至ＳＲ３３３）もまたサンプリング信号をラッチ部に供給するようになる。
【０１２９】
また一方、図１３に示したようにデータＩＣ（２１６）の出力チャンネルなどの中の第１乃至第３１５番目の出力チャンネルなどを第1出力チャンネル群（２６０）に選択して、第３１６乃至３２７番目の出力チャンネルなどをダミー出力チャンネル群（２６４）に選択して、第３２８乃至第６４２番目の出力チャンネルなどを第２出力チャンネル群（２６２）に選択する場合に、データＩＣ（２１６）のチャンネル選択部（３１８）には”１０”の論理値を有する１及び第２チャンネル選択信号（Ｐ１，Ｐ２）が供給される。これにつれて、シフト・レジスタ部（３３４）は第１乃至第６００番目のシフト・レジスタなど（ＳＲ１乃至ＳＲ６００）を利用してソース・スタート・パルス（ＳＳＰ）をソース・サンプリング・クラック信号（ＳＳＣ）につれて順次にシフトさせてサンプリング信号に出力するようになる。この際、第３１５番目のシフト・レジスタ（ＳＲ３１５）の出力信号は第1マルチプレクサ（３５０）、ディマルチプレクサ（３５２）及び第２マルチプレクサ（３５４）を経由して第３２８番目のシフト・レジスタ（ＳＲ３２８）に供給される。ここで、第６４２番目のシフト・レジスタ（ＳＲ６４２）の出力信号（Ｃａｒｒｙ）は次の段のデータＩＣ（２１６）の第1シフト・レジスタ（ＳＲ１）に供給される。これにつれて、第１乃至第３１５番目のシフト・レジスタ（ＳＲ１乃至ＳＲ３１５）と第３２８乃至第６４２番目のシフト・レジスタ（ＳＲ３２８乃至ＳＲ６４２）はサンプリング信号をラッチ部に供給する。この際、実質的に第３１６乃至第３２７番目のシフト・レジスタ（ＳＲ３１６乃至ＳＲ３２７）もまたサンプリング信号をラッチ部に供給するようになる。
【０１３０】
また異なる一方で、図１４に示したようにデータＩＣ（２１６）の出力チャンネルなどの中の第１乃至第３２１番目の出力チャンネルなどを第1出力チャンネル群（２６０）に選択して、第３２２乃至第６４２番目の出力チャンネルなどを第２出力チャンネル群（２６２）に選択する場合に、データＩＣ（２１６）のチャンネル選択部（３１８）には”１１”の論理値を有する１及び第２チャンネル選択信号（Ｐ１，Ｐ２）が供給される。これにつれて、シフト・レジスタ部（３３４）は第１乃至第６４２番目のシフト・レジスタなど（ＳＲ１乃至ＳＲ６４２）を利用してソース・スタート・パルス（ＳＳＰ）をソース・サンプリング・クラック信号（ＳＳＣ）につれて順次にシフトさせてサンプリング信号に出力するようになる。この際、第1マルチプレクサ（３５０）、ディマルチプレクサ（３５２）のそれぞれは無常の条件になる。そして、第３２７番目のシフト・レジスタ（ＳＲ３２７）の出力信号は第2マルチプレクサ（３５４）を経由して第３２８番目のシフト・レジスタ（ＳＲ３２８）に供給されて、第３３３番目のシフト・レジスタ（ＳＲ３３３）の出力信号は第３ディマルチプレクサ（３５６）を経由して第３３４番目のシフト・レジスタ（ＳＲ３３４）に供給されて、第３４２番目のシフト・レジスタ（ＳＲ３４２）の出力信号は第４ディマルチプレクサ（３５８）を経由して第３４３番目のシフト・レジスタ（ＳＲ３４３）に供給される。これにつれて、シフト・レジスタ部（３３４）の第１乃至第６４２番目のシフト・レジスタ（ＳＲ１乃至ＳＲ６４２）のそれぞれはサンプリング信号をラッチ部に供給するようになる。ここで、第６４２番目のシフト・レジスタ（ＳＲ６４２）の出力信号は次の段のデータＩＣ（２１６）の第1シフト・レジスタ（ＳＲ１）に供給される。
【０１３１】
このような、本発明の第3実施例による液晶表示装置のデータＩＣ（２１６）は上述した本発明の第1実施例による液晶表示装置のデータＩＣ（２１６）の動作につれてシフト・レジスタ部（３３４）から出力されるサンプリング信号を利用してタイミング制御部（１０８）から供給されるデータ（ＶＤ）を画素データに変換して第1及び第2出力チャンネル群（２６０，２６２）及びダミー出力チャンネル群（２６４）の一部を通して液晶パネル（１０２）のデータラインなど（ＤＬ）に供給する。
【０１３２】
このような、本発明の第3実施例による液晶表示装置のデータＩＣ（２１６）は第１及び第２オプションピン（ＯＰ１、ＯＰ２）に供給される第１及び第２チャンネル選択信号（Ｐ１，Ｐ２）につれて表1に表したように液晶パネル（１０２）の解像図につれてデータＩＣ（２１６）の出力チャンネルを設定することで一種類のデータＩＣ（２１６）だけでもすべての解像図を表現することができるようになる。これにつれて、本発明の第1実施例による液晶表示装置は作業性の向上及び製造費用を減少させることができる。
【０１３３】
一方、本発明の第3実施例による液晶表示装置のデータＩＣ（２１６）は第１及び第２オプションピン（ＯＰ１、ＯＰ２）に供給される第１及び第２チャンネル選択信号（Ｐ１，Ｐ２）は図１５に示したように第1及び第2スイッチ（Ｑ１，Ｑ２）に対する選択的なスイッチングによって発生することができる。第1及び第2スイッチ（Ｑ１，Ｑ２）に対する詳細な説明は上述した本発明の第2実施例による液晶表示装置の説明に代えることにする。
【０１３４】
もう一方で、本発明の第3実施例による液晶表示装置のデータＩＣ（２１６）の第１及び第２オプションピン（ＯＰ１、ＯＰ２）に供給される第１及び第２チャンネル選択信号（Ｐ１，Ｐ２）は図１５に示したように電圧源（ＶＣＣ）に接続されると共に第１及び第２オプションピン（ＯＰ１、ＯＰ２）のそれぞれに接続されたディップ・スイッチ（２５０）のスイッチング操作によって発生されることができる。ディップ・スイッチ（２５０）に対する詳細な説明は上述した本発明の第2実施例による液晶表示装置の説明に代えることにする。
【０１３５】
上述したところのように、本発明の第1乃至第3実施例による液晶表示装置では第１及び第２チャンネル選択信号（Ｐ１，Ｐ２）につれて６４２個の出力チャンネルを有するデータＩＣ（１１６，２１６）の出力チャンネルを変更することに対して限り限定されることではなく、６４２個以下及び以上の出力チャンネルを有するデータＩＣ（１１６，２１６）に同一に適用されることができる。
【０１３６】
また、第１及び第２チャンネル選択信号（Ｐ１，Ｐ２）につれて設定されるデータＩＣ（１１６，２１６）の出力チャンネルは６００，６１８，６３０及び６４２個の出力チャンネルにだけ限定されることではなく、どんな場合にも適用することができる。
【０１３７】
もう一度言って、第１及び第２チャンネル選択信号（Ｐ１，Ｐ２）につれて設定されるデータＩＣ（１１６，２１６）の出力チャンネルは液晶パネル（１０２）の解像図、ＴＣＰの個数、ＴＣＰの幅、タイミング制御部（１０８）からデータＩＣ（１１６，２１６）に画素データ（ＶＤ）を伝送するためのタイミング制御部（１０８）とデータＩＣ（１１６，２１６）の間のデータ伝送ラインの数の中の少なくともいずれか一つの条件によって設定される。これにつれて、 第１及び第２チャンネル選択信号（Ｐ１，Ｐ２）につれて設定されるデータＩＣ（１１６，２１６）の出力チャンネルは６００，６１８，６２４，６３０，６４２，６４５，６８４，６９６，７０２，７２０などになれる。
【０１３８】
そして、データＩＣ（１１６，２１６）の出力チャンネルを設定するためのチャンネル選択信号（Ｐ１，Ｐ２）もまた２ビットの２進論理値に限定されることではなく、２ビット以上の２進論理値を有することができる。
【０１３９】
また異なる一方で、本発明の第１乃至第３実施例による液晶表示装置のデータＩＣ（１１６，２１６）は上述した液晶表示装置を含む平板表示装置に使用されることができる。
【０１４０】
上述したところのように、本発明による液晶表示装置の駆動装置はチャンネル選択信号を利用して液晶パネルの解像図につれてデータ集積回路のチャンネルを変更することで一種類のデータ集積回路を利用して液晶パネルのすべての解像図を駆動させることができるようになる。
【０１４１】
また、本発明はデータラインなどにいつのデータを供給する第1出力チャンネル群れと第2データ出力チャンネル群の間にダミー・データ出力チャンネル群が形成されたデータ集積回路とを具備して、チャンネル選択信号を利用して液晶パネルの解像図につれてデータ集積回路のチャンネルを変更することで一種類のデータ集積回路を利用して液晶パネルのすべての解像を駆動させることができるようになる。
【０１４２】
従って、本発明は液晶パネルの解像図に関係なく、データ集積回路を共通に使用することができるのでデータ集積回路の個数を減少させることができる。結果的に、本発明の実施例による液晶表示装置は作業性の向上及び製造費用を節減することができる。
【０１４３】
以上説明した内容を通して当業者であると、本発明の技術思想を逸脱しない範囲で多様な変更及び修正が可能であることがわかる。従って、本発明の技術的の範囲は詳細な説明に記載された内容に限らず特許請求の範囲により定めなければならない。
【図面の簡単な説明】
【０１４４】
【図１】従来の液晶表示装置を概略的に表す図面である。
【図２ａ】従来のゲート・ドライバに含まれているゲート集積開を表す図面である。
【図２ｂ】従来のデータ・ドライバに含まれているデータ集積開を表す図面である。
【図３】図２ｂに示されたデータ集積回路の内部の構造を詳細に表す図面である。
【図４】本発明の第１実施例による液晶表示装置を表す図面である。
【図５】図４に示された第１及び第２チャンネルの選択信号につれて６００個のデータ出力チャンネルを有するように設定したデータ集積回路を表す図面である。
【図６】図４に示された第１及び第２チャンネルの選択信号につれて６１８個のデータ出力チャンネルを有するように設定したデータ集積回路を表す図面である。
【図７】図４に示された第１及び第２チャンネルの選択信号につれて６３０個のデータ出力チャンネルを有するように設定したデータ集積回路を表す図面である。
【図８】図４に示された第１及び第２チャンネルの選択信号につれて６４２個のデータ出力チャンネルを有するように設定したデータ集積回路を表す図面である。
【図９】図４に示されたデータ集積回路の内部の構造を詳細に表す図面である。
【図１０】本発明の第2実施例による液晶表示装置のデータ集積回路を表すブロック図である。
【図１１】図１０に示された第１及び第２チャンネルの選択信号につれて６００個のデータ出力チャンネルを有するように設定したデータ集積回路を表す図面である。
【図１２】図１０に示された第１及び第２チャンネルの選択信号につれて６１８個のデータ出力チャンネルを有するように設定したデータ集積回路を表す図面である。
【図１３】図１０に示された第１及び第２チャンネルの選択信号につれて６３０個のデータ出力チャンネルを有するように設定したデータ集積回路を表す図面である。
【図１４】図１０に示された第１及び第２チャンネルの選択信号につれて６４２個のデータ出力チャンネルを有するように設定したデータ集積回路を表す図面である。
【図１５】図１０に示された第１及び第２チャンネルの選択信号を発生するためのスイッチング素子などを表す図面である。
【図１６】図１０に示された第１及び第２チャンネルの選択信号を発生するためのディップ・スイッチを表す図面である。
【図１７】本発明の第３実施例によるデータ集積回路のチャンネル選択部及びシフト・レジスタ部を表すブロック図である。
【符号の説明】
【０１４５】
２，１０２：液晶パネル
７：液晶セル
４，１０４：データドライバ
６，１０６：ゲートドライバ
８，１０８：タイミング制御部
１０：ゲートＩＣ
１６，１１６，４１６：データＩＣ
２０，１２０：信号制御部
３２，１３２：ガンマ電圧部
３４，１３４：シフト・レジスタ部
３６，１３６：ラッチ部
３８，１３８：ＤＡＣ部
４０：Ｐディコーディング部
４２：Ｎディコーディング部
４６，１４６：出力バッパ部
４４，１４４：マルチプレクサ
１１０，６１０：データＴＣＰ
１３０，３１８：チャンネル選択部
１８４：ダミー・データ入力パッド群
２６０，６６０：第1データ出力チャンネル群
２６２，６６２：第２データ出力チャンネル群 
２６４，６６４：ダミー・データ出力チャンネル群
３５０：第1マルチプレクサ
３５２：ディマルチプレクサ
３５４：第2マルチプレクサ
３５６：第3マルチプレクサ
３５８：第4マルチプレクサ
【図１】
2005173592.tif 000004
【図２ａ】
2005173592.tif 000005
【図２ｂ】
2005173592.tif 000006
【図３】
2005173592.tif 000007
【図４】
2005173592.tif 000008
【図５】
2005173592.tif 000009
【図６】
2005173592.tif 000010
【図７】
2005173592.tif 000011
【図８】
2005173592.tif 000012
【図９】
2005173592.tif 000013
【図１０】
2005173592.tif 000014
【図１１】
2005173592.tif 000015
【図１２】
2005173592.tif 000016
【図１３】
2005173592.tif 000017
【図１４】
2005173592.tif 000018
【図１５】
2005173592.tif 000019
【図１６】
2005173592.tif 000020
【図１７】
2005173592.tif 000021